(57)【要約】【課題】光学系の小型化・薄型化の達成及び色収差を中心とした諸収差の良好な補正状態の達成を両立できる結像光学系等を提供すること。【解決手段】アッベ数νd1の透明材質からなるレンズＬ1の一方の光学面Ｂに密着しているアッベ数νd2の透明材質からなる中間層Ｌ2の別の光学面Ｃの形状は光学面Ｂとは異なった非球面形状の光学面であり、さらに光学面Ｃにアッベ数νd3の透明材質からなるレンズＬ3が密着されているレンズ成分を有する結像光学系において、  以下の条件を満足することを特徴とする。      ０．０１２＜1/νd3−1/νd1＜０．０９０    …（１）      ０．０１０＜1/νd3−1/νd2    …（２）  ここで、νd1はレンズＬ1のアッベ数、νd2は中間層Ｌ2のアッベ数、νd3はレンズＬ3のアッベ数である。【選択図】図１
2010091881.tif 000002
【特許請求の範囲】
【請求項１】
アッベ数νd1の透明材質からなるレンズＬ1と、アッベ数νd2の透明材質からなる中間層Ｌ2と、アッベ数νd3の透明材質からなるレンズＬ3で構成されているレンズ成分を有し、
前記中間層Ｌ2は前記レンズＬ1の光学面Ｂに密着しており、
前記中間層Ｌ2の光学面Ｃの形状は非球面形状であり、
前記レンズＬ3は前記光学面Ｃに密着され、
以下の条件を満足することを特徴とする結像光学系。
０．０１２＜1/νd3−1/νd1＜０．０９０  …（１）
０．０１０＜1/νd3−1/νd2              …（２）
ここで、
νd1は前記レンズＬ1のアッベ数（ｎd1−１）／（ｎF1−ｎC1）、
νd2は前記中間層Ｌ2のアッベ数（ｎd2−１）／（ｎF2−ｎC2）、
νd3は前記レンズＬ3のアッベ数（ｎd3−１）／（ｎF3−ｎC3）、
ｎd1、ｎC1、ｎF1は各々前記レンズＬ1のｄ線、Ｃ線、Ｆ線に対する屈折率、ｎd2、ｎC2、ｎF2は各々前記中間層Ｌ2のｄ線、Ｃ線、Ｆ線に対する屈折率、ｎd3、ｎC3、ｎF3は各々前記レンズＬ3のｄ線、Ｃ線、Ｆ線に対する屈折率を表す。
【請求項２】
前記光学面Ｃは屈折面であることを特徴とする請求項１に記載の結像光学系。
【請求項３】
前記光学面Ｂは屈折面であることを特徴とする請求項１または２に記載の結像光学系。
【請求項４】
以下の条件を満足することを特徴とする請求項１〜３のいずれか一項に記載の結像光学系。
｜ｎd2−ｎd3｜＜０．２７  …（３）
ここで、ｎd2、ｎd3はそれぞれ前記中間層Ｌ2、前記レンズＬ3のｄ線に対する屈折率である。
【請求項５】
以下の条件を満足することを特徴とする請求項１〜４のいずれか一項に記載の結像光学系。
１．６５＜ｎd1  …（４）
ここでｎd1は前記レンズＬ1のｄ線に対する屈折率である。
【請求項６】
以下の条件を満足することを特徴とする請求項１〜５のいずれか一項に記載の結像光学系。
−０．７０＜Φ3／Φ1＜−０．１０  …（５）
｜Φ1｜＞｜Φ3｜＞｜Φ2｜         …（６）
ここで、
Φ1は、前記レンズＬ1の空気中での屈折力、
Φ2は、前記中間層Ｌ2の空気中での屈折力、
Φ3は、前記レンズＬ3の空気中での屈折力である。
【請求項７】
前記中間層Ｌ2はエネルギー硬化型樹脂からなり、光軸上での厚みが0.03mm以上2.00mm以下であることを特徴とする請求項１〜６のいずれか一項に記載の結像光学系。
【請求項８】
前記レンズＬ3はエネルギー硬化型樹脂からなり、光軸上での厚みが0.03mm以上2.00mm以下であることを特徴とする請求項１〜７のいずれか一項に記載の結像光学系。
【請求項９】
前記レンズＬ1は光学面Ａを有し、
前記光学面Ｂと前記光学面Ａは、ともに球面からなることを特徴とする請求項１〜８のいずれか一項に記載の結像光学系。
【請求項１０】
前記レンズＬ1は光学面Ａを有し、
前記レンズＬ3は光学面Ｄを有し、
前記光学面Ａと前記光学面Ｄは、ともに空気接触面であることを特徴とする請求項１〜９のいずれか一項に記載の結像光学系。
【請求項１１】
横軸をνd3、及び縦軸をθgF3とする直交座標系において、
θgF3＝α3×νd3＋βgF3（但し、α3＝−０．００５６６）
で表される直線を設定したときに、以下の条件式（７）の範囲の下限値であるときの直線、及び上限値であるときの直線で定まる領域と、
横軸をνd3、及び縦軸をｎd3とする直交座標系において、
ｎd3＝ａ3×νd3＋ｂ3（但し、ａ3＝−０．０２６７）
で表される直線を設定したときに、以下の条件式（８）の範囲の下限値であるときの直線、及び上限値であるときの直線で定まる領域と、
以下の条件式（９）で定まる領域との３つの領域に、前記レンズＬ3のθgF3及びｎd3及びνd3が含まれることを特徴とする請求項１〜１０のいずれか一項に記載の結像光学系。
０．６５２０＜βgF3＜０．８１５０          …（７）
２．０＜ｂ3＜２．４（但し、ｎd3＞１．３）  …（８）
１０＜νd3＜３５                           …（９）  
ここで、
θgF3は前記レンズＬ3の部分分散比（ｎg3−ｎF3）／（ｎF3−ｎC3）、
νd3は前記レンズＬ3のアッベ数（ｎd3−1）／（ｎF3−ｎC3）、
ｎd3、ｎC3、ｎF3、ｎg3は各々前記レンズＬ3のｄ線、Ｃ線、Ｆ線、ｇ線に対する屈折率を表す。
【請求項１２】
前記直交座標とは別の、横軸をνd3、及び縦軸をθhg3とする直交座標系において、
θhg3＝αhg3×νd3＋βhg3（但し、αhg3＝−０．００８３４）
で表される直線を設定したときに、以下の条件式（１０）の範囲の下限値であるときの直線、及び上限値であるときの直線で定まる領域と、
横軸をνd3、及び縦軸をｎd3とする直交座標系において、
ｎd3＝ａ3×νd3＋ｂ3（但し、ａ3＝−０．０２６７）
で表される直線を設定したときに、以下の条件式（８）の範囲の下限値であるときの直線、及び上限値であるときの直線で定まる領域と、
以下の条件式（９）で定まる領域との３つの領域に、前記レンズＬ3のθhg3及びｎd3及びνd3が含まれることを特徴とする請求項１１に記載の結像光学系。
０．６０００＜βhg3＜０．８３２０          …（１０）
２．０＜ｂ3＜２．４（但し、ｎd3＞１．３）  …（８）
１０＜νd3＜３５                           …（９）  
ここで、
θhg3は前記レンズＬ3の部分分散比（ｎh3−ｎg3）／（ｎF3−ｎC3）、
ｎh3はｈ線に対する前記レンズＬ３の屈折率を表す。
【請求項１３】
以下の条件を満足することを特徴とする請求項１〜１２のいずれか一項に記載の結像光学系。
−０．０７００≦θgF3−θgF1≦０．１５００  …（１１）
ここで、
θgF1は前記レンズＬ1の部分分散比（ｎg1−ｎF1）／（ｎF1−ｎC1）、
ｎd1、ｎC1、ｎF1、ｎg1は各々前記レンズＬ1のｄ線、Ｃ線、Ｆ線、ｇ線に対する屈折率を表す。
【請求項１４】
以下の条件を満足することを特徴とする請求項１３に記載の結像光学系。
−０．１０００≦θhg3−θhg1≦０．２０００  …（１２）
ここで、
θhg1はレンズＬ1の部分分散比（ｎh1−ｎg1）／（ｎF1−ｎC1）、
ｎh1はｈ線に対する前記レンズＬ１の屈折率を表す。
【請求項１５】
前記レンズ成分は正の合成屈折力を有することを特徴とする請求項１〜１４のいずれか一項に記載の結像光学系。
【請求項１６】
近軸焦点距離が負の値のレンズを負レンズとしたとき、
前記レンズＬ3が負レンズであることを特徴とする請求項１〜１５のいずれか一項に記載の結像光学系。
【請求項１７】
近軸焦点距離が正の値のレンズを正レンズとしたとき、
前記レンズＬ1が正レンズであることを特徴とする請求項１〜１６のいずれか一項に記載の結像光学系。
【請求項１８】
前記結像光学系はズーム光学系であり、
該ズーム光学系は、物体側から順に、正の屈折力を有する第１レンズ群と、負の屈折力を有する第２レンズ群と、正の屈折力を有する後群よりなり、
該後群は、変倍時に相対的間隔が可変である複数のレンズ群からなり、
前記第１レンズ群、前記第２レンズ群及び前記後群における各々の相対的間隔は、変倍時に可変であり、
前記レンズ成分を前記第１レンズ群に用いたことを特徴とする請求項１〜１７のいずれか一項に記載の結像光学系。
【請求項１９】
前記第１レンズ群は前記レンズ成分のみからなることを特徴とする請求項１８に記載の結像光学系。
【請求項２０】
前記レンズ成分の最も物体側のレンズは、前記レンズＬ1であることを特徴とする請求項１９に記載の結像光学系。
【請求項２１】
前記光学面Ｂと前記光学面Ｃの面形状は、各々像側に凸面を向けた形状であることを特徴とする請求項２０に記載の結像光学系。
【請求項２２】
光軸方向をｚ、光軸に垂直な方向をｈとする座標軸とし、Ｒを球面成分の光軸上における曲率半径、ｋを円錐定数、Ａ４，Ａ６，Ａ８，Ａ１０・・・を非球面係数として、非球面の形状を下記の式（１３）で表すと共に、
z＝h2／R［１＋｛１−（１＋k）h2／R2 ｝1/2 ］
＋Ａ4 h4 ＋Ａ6 h6 ＋Ａ8 h8 ＋Ａ10h10＋・・・          …（１３）
偏倚量を下記の式（１４）で表した場合、
Δz＝ｚ−h2／R［１＋｛１−h2／R2 ｝1/2 ］                      …（１４）
以下の条件式（１５）を満足することを特徴とする結像光学系。
(ΔｚA（h）＋ΔｚＢ（h）)/２≦ΔｚC(h)≦10・(ΔｚA（h）＋ΔｚＢ（h）)/２
〈但し、ｈ＝2.5a〉…（１５）
ここで、
ｚAは前記光学面Ａの形状であって、式（１３）に従う形状、
ｚDは前記光学面Ｄの形状であって、式（１３）に従う形状、
ｚCは前記光学面Ｃの形状であって、式（１３）に従う形状、
ΔｚAは前記光学面Ａにおける偏倚量であって、式（１４）に従う量、
ΔｚDは前記光学面Ｄにおける偏倚量であって、式（１４）に従う量、
ΔｚCは前記光学面Ｃにおける偏倚量であって、式（１４）に従う量、
ＲCは前記光学面Ｃの近軸曲率半径（≦０）、
aは以下の条件式（１６）に従う量、
a＝(ｙ10)2・log10γ／ｆw  …（１６）
また、式（１６）において、
ｙ10は最大像高、
ｆwは前記結像光学系の広角端における前記結像光学系全系の焦点距離、
γは前記結像光学系におけるズーム比（望遠端での全系焦点距離／広角端での全系焦点距離）、
また、各面の面頂を原点とするため、常にｚ（０）＝０である。
【請求項２３】
前記第２レンズ群は、物体側から順に、負レンズ成分と３枚のレンズが接合されたレンズ成分よりなり、
前記３枚のレンズのうち中央のレンズは条件式（７）、（８）、（９）を満足することを特徴とする請求項１８〜２２のいずれか一項に記載の結像光学系。
【請求項２４】
前記後群は２つの正レンズ群からなることを特徴とする請求項１８〜２３のいずれか一項に記載の結像光学系。
【請求項２５】
前記２つの正レンズ群のうち、物体側のレンズ群は１つの正レンズ成分と１つの負レンズ成分からなり、
前記負レンズ成分は３枚のレンズが接合されてなり、
該負レンズ成分は、最も物体側の正レンズと、中央のレンズと、最も像側の負レンズで構成され、
該中央のレンズは条件式（７）、（８）、（９）を満足することを特徴とする請求項２４に記載の結像光学系。
【請求項２６】
請求項１〜２５のいずれか一項に記載の結像光学系と、
電子撮像素子と、
前記結像光学系を通じて結像された像を前記電子撮像素子で撮像することによって得られた画像データを加工して前記像の形状を変化させた画像データとして出力する画像処理手段を有し、
前記結像光学系がズームレンズであり、
該ズームレンズが、無限遠物点合焦時に以下の条件式（１６）を満足することを特徴とする電子撮像装置。
０．７０＜ｙ07／（ｆｗ・ｔａｎω07w）＜０．９７  …(１６)
但し、ｙ07は前記電子撮像素子の有効撮像面内（撮像可能な面内）で中心から最も遠い点までの距離（最大像高）をｙ10としたときｙ07＝０．７ｙ10で表され、ω07wは広角端における前記撮像面上の中心からｙ07の位置に結ぶ像点に対応する物点方向の光軸に対する角度、ｆｗは広角端における前記結像光学系の全系の焦点距離である。
【発明の詳細な説明】
【技術分野】
【０００１】
本発明は、光学系の薄型化と高性能化の両立に有効な結像光学系及びそれを備える撮像装置に関するものである。
【背景技術】
【０００２】
デジタルカメラは高画素数化（高画質化）や小型薄型化において実用レベルを達成し、機能的にも市場的にも銀塩３５ｍｍフィルムカメラにとって代わってしまった。そこで、次なる進化の方向の１つとして、そのままの小ささ薄さで光学系の高変倍比、広角化、大口径比化など光学仕様の向上とともにさらなる高画素数化が強く求められている。
【０００３】
たとえば、これまで高変倍に強いとして用いられてきたズーム光学系として、たとえば、特許文献１に開示された光学系がある。特許文献１には、物体側から順に、最初のレンズ群（第１レンズ群）が正の屈折力を有するいわゆる正先行型のズーム光学系が開示されている。
【０００４】
また、同様のズーム光学系を用いて高変倍ズーム光学系の小型化、薄型化を実現しようとすると、色収差の補正が問題となりやすい。
【０００５】
ここで、色収差について詳述する。
色収差には、近軸的な色収差と、高次の色収差とがある。また、近軸色収差には、焦点位置の色収差と、焦点距離の色収差とがある。これらの色収差の補正とは、通常、所定の２波長、たとえばＣ線（656.27nm）とＦ線（486.13nm）、についてそれぞれの焦点位置と焦点距離が一致することで達成したとしている。この状態を、Ｃ線とＦ線の色消しが出来た状態、と称している。これは、光学系に含まれる複数のレンズに、適切なアッベ数を選択することで達成できる。
【０００６】
しかしながら、所定の２波長とは異なる他の波長については、焦点位置と焦点距離とが一致していない、つまり収差が残存している場合がほとんどである。この残存色収差を２次スペクトルと称している。その残存量に影響のある光学特性が部分分散比である。
【０００７】
通常の光学材料の場合、低分散（アッベ数が高い）なものは相対的に部分分散比が小さく、高分散（アッベ数が低い）なものは部分分散比が大きい。従って、低分散材料には極力部分分散比が大きく、高分散材料では極力部分分散比が小さいものを選択する。これにより、２次スペクトルを軽減することが可能である。
【０００８】
一方、高次の色収差とは、色の球面収差、色コマ、倍率色収差の像高に関する高次成分（色の歪曲収差）に相当する。これらの収差は、基準波長（たとえばｄ線＝587.56nm）に対する高次収差発生源と材料の分散とが複雑に絡んでいる。一般的に、これらを補正することは、基準波長に対する収差の補正や近軸色収差の補正を犠牲にすることになる。従って、独立に補正することが望ましい。
【０００９】
この色収差を補正する技術として、特許文献２や特許文献３に開示された光学系が知られている。特許文献２や特許文献３では、従来のガラスにはない有効な分散特性、あるいは部分分散特性を有する透明媒質を光学系に導入している。
【００１０】
さらに、電子撮像素子を用いた電子撮像装置ではｈ線（４０４．６６ｎｍ）の色収差によるフレアが発生しやすい。ｈ線の色収差補正の重要性を記載している文献として、たとえば特許文献４が知られている。
【００１１】
【特許文献１】特開２００３−２５５２２８号公報
【特許文献２】特開２００５−３１６０４７号公報
【特許文献３】特開２００５−３５２２６５号公報
【特許文献４】特開２００１−２０８９６４号公報
【発明の開示】
【発明が解決しようとする課題】
【００１２】
特許文献１に記載の光学系は、ズーム比が高く、広角端におけるＦ値が小さいにもかかわらず高い結像性能を有している。しかしながら、特許文献１に記載の光学系は、各レンズ群（特に第１レンズ群）の光軸方向の厚みが大きい。このため、レンズ鏡筒ユニットをカメラ筐体の厚み（奥行き）方向に収納する鏡筒、いわゆる沈胴式鏡筒を採用してもカメラ筐体を薄くすることは困難である。
【００１３】
また、特許文献２、特許文献３に記載の透明物質は、従来には無い有効な分散特性や部分分散特性を有する。しかしながら、特許文献２、特許文献３に開示された光学系は、従来例に比較して薄型化が十分ではない。
【００１４】
また、特許文献４には光学系にて色フレアを除去する具体的な有効手段が記載されていない。
【００１５】
本発明は、上記従来の課題に鑑みてなされたものであり、光学系の小型化・薄型化の達成及び色収差を中心とした諸収差の良好な補正状態の達成を両立できる結像光学系とそれを有する撮像装置を得ることを目的とする。
【課題を解決するための手段】
【００１６】
上記目的を達成するため、本発明におけるレンズ成分を含む結像光学系は、アッベ数νd1の透明材質からなるレンズＬ1と、アッベ数νd2の透明材質からなる中間層Ｌ2と、アッベ数νd3の透明材質からなるレンズＬ3で構成されているレンズ成分を有し、前記中間層Ｌ2は前記レンズＬ1の光学面Ｂに密着しており、前記中間層Ｌ2の光学面Ｃの形状は非球面形状であり、前記レンズＬ3は前記光学面Ｃに密着されている。
【００１７】
そして、前記結像光学系は、さらに以下の条件式（１）、（２）を満足することが好ましい。
０．０１２＜1/νd3−1/νd1＜０．０９０  …（１）
０．０１０＜1/νd3−1/νd2              …（２）
ここで、
νd1は前記レンズＬ1のアッベ数（ｎd1−１）／（ｎF1−ｎC1）、
νd2は前記中間層Ｌ2のアッベ数（ｎd2−１）／（ｎF2−ｎC2）、
νd3は前記レンズＬ3のアッベ数（ｎd3−１）／（ｎF3−ｎC3）、
ｎd1、ｎC1、ｎF1は各々前記レンズＬ1のｄ線、Ｃ線、Ｆ線に対する屈折率、ｎd2、ｎC2、ｎF2は各々前記中間層Ｌ2のｄ線、Ｃ線、Ｆ線に対する屈折率、ｎd3、ｎC3、ｎF3は各々前記レンズＬ3のｄ線、Ｃ線、Ｆ線に対する屈折率を表す。
【００１８】
また、本発明の好ましい態様によれば、前記光学面Ｃは屈折面であることが好ましい。
【００１９】
また、本発明の好ましい態様によれば、前記光学面Ｂも屈折面であることが好ましい。
【００２０】
また、本発明の好ましい態様によれば、前記結像光学系は以下の条件式（３）を満足することが好ましい。
｜ｎd2−ｎd3｜＜０．２７  …（３）
ここで、ｎd2、ｎd3はそれぞれ中間層Ｌ2、レンズＬ3のｄ線に対する屈折率である。
【００２１】
また、本発明の好ましい態様によれば、前記結像光学系は以下の条件式（４）を満足することが好ましい。
１．６５＜ｎd1  …（４）
ここで、ｎd1はレンズＬ1の材質のｄ線に対する屈折率である。
【００２２】
また、本発明の好ましい態様によれば、前記結像光学系は以下の条件式（５）、（６）を満足することが好ましい。
−０．７０＜Φ3／Φ1＜−０．１０  …（５）
｜Φ1｜＞｜Φ3｜＞｜Φ2｜         …（６）
ここで、Φ1、Φ2、Φ3は、それぞれレンズＬ1、中間層Ｌ2、レンズＬ3の空気中での屈折力である。
【００２３】
また、本発明の好ましい態様によれば、前記中間層Ｌ2はエネルギー硬化型樹脂からなり、光軸上での厚みが0.03mm以上2.00mm以下であることが好ましい。
【００２４】
また、本発明の好ましい態様によれば、前記レンズＬ3はエネルギー硬化型樹脂からなり、光軸上での厚みが0.03mm以上2.00mm以下であることが好ましい。
【００２５】
また、本発明の好ましい態様によれば、前記レンズＬ1は光学面Ａを有し、前記光学面Ｂと前記光学面Ａは、ともに球面であることが好ましい。
【００２６】
また、本発明の好ましい態様によれば、前記レンズＬ1は光学面Ａを有し、前記レンズＬ3は光学面Ｄを有し、前記光学面Ａと前記光学面Ｄは空気接触面であることが好ましい。
【００２７】
また、本発明の好ましい態様によれば、横軸をνd3、及び縦軸をθgF3とする直交座標系において、
θgF3＝α3×νd3＋βgF3（但し、α3＝−０．００５６６）
で表される直線を設定したときに、以下の条件式（７）の範囲の下限値であるときの直線、及び上限値であるときの直線で定まる領域と、
横軸をνd3、及び縦軸をｎd3とする直交座標系において、
ｎd3＝ａ3×νd3＋ｂ3（但し、ａ3＝−０．０２６７）
で表される直線を設定したときに、以下の条件式（８）の範囲の下限値であるときの直線、及び上限値であるときの直線で定まる領域と、
以下の条件式（９）で定まる領域との３つの領域に、前記レンズＬ3のθgF3及びｎd3及びνd3が含まれることが好ましい。
０．６５２０＜βgF3＜０．８１５０          …（７）
２．０＜ｂ3＜２．４（但し、ｎd3＞１．３）  …（８）
１０＜νd3＜３５                           …（９）  
ここで、
θgF3はレンズＬ3の部分分散比（ｎg3−ｎF3）／（ｎF3−ｎC3）、
νd3はレンズＬ3のアッベ数（ｎd3−1）／（ｎF3−ｎC3）、
ｎd3、ｎC3、ｎF3、ｎg3は各々前記レンズＬ3のｄ線、Ｃ線、Ｆ線、ｇ線に対する屈折率を表す。
【００２８】
また、本発明の好ましい態様によれば、前記直交座標とは別の、横軸をνd3、及び縦軸をθhg3とする直交座標系において
θhg3＝αhg3×νd3＋βhg3（但し、αhg3＝−０．００８３４）
で表される直線を設定したときに、以下の条件式（１０）の範囲の下限値であるときの直線、及び上限値であるときの直線で定まる領域と、
横軸をνd3、及び縦軸をｎd3とする直交座標系において、
ｎd3＝ａ3×νd3＋ｂ3（但し、ａ3＝−０．０２６７）
で表される直線を設定したときに、以下の条件式（８）の範囲の下限値であるときの直線、及び上限値であるときの直線で定まる領域と、
以下の条件式（９）で定まる領域との３つの領域に、前記レンズＬ3のθhg3及びｎd3及びνd3が含まれることが好ましい。
０．６０００＜βhg3＜０．８３２０          …（１０）
２．０＜ｂ3＜２．４（但し、ｎd3＞１．３）  …（８）
１０＜νd3＜３５                           …（９）  
ここで、
θhg3はレンズＬ3の部分分散比（ｎh3−ｎg3）／（ｎF3−ｎC3）、
ｎh3はｈ線に対する前記レンズＬ３の屈折率を表す。
【００２９】
また、本発明の好ましい態様によれば、前記結像光学系は以下の条件式（１１）を満足することが好ましい。
−０．０７００≦θgF3−θgF1≦０．１５００  …（１１）
ここで、
θgF1は前記レンズＬ1の部分分散比（ｎg1−ｎF1）／（ｎF1−ｎC1）、
ｎd1、ｎC1、ｎF1、ｎg1は各々前記レンズＬ1のｄ線、Ｃ線、Ｆ線、ｇ線に対する屈折率を表す。
【００３０】
また、本発明の好ましい態様によれば、前記結像光学系は以下の条件式（１２）を満足することが好ましい。
−０．１０００≦θhg3−θhg1≦０．２０００    …（１２）
ここで、
θhg1はレンズＬ1の部分分散比（ｎh1−ｎg1）／（ｎF1−ｎC1）、
ｎh1はｈ線に対する前記レンズＬ１の屈折率を表す。
【００３１】
また、本発明の好ましい態様によれば、前記レンズ成分は正の合成屈折力を有することが好ましい。
【００３２】
また、本発明の好ましい態様によれば、近軸焦点距離が負の値のレンズを負レンズとしたとき、前記レンズＬ3が負レンズであることが好ましい。。
【００３３】
また、本発明の好ましい態様によれば、近軸焦点距離が正の値のレンズを正レンズとしたとき、前記レンズＬ1が正レンズであることが好ましい。。
【００３４】
また、本発明の好ましい態様によれば、前記結像光学系はズーム光学系であることが好ましい。さらに、該ズーム光学系は、物体側から順に、正の屈折力を有する第１レンズ群と、負の屈折力を有する第２レンズ群と、正の屈折力を有する後群とからなる。また、該後群は、変倍時に相対的間隔が可変である複数のレンズ群からなり、前記第１レンズ群、前記第２レンズ群及び前記後群における各々の相対的間隔は、変倍時に可変であり、前記レンズ成分を前記第１レンズ群に用いることが好ましい。
【００３５】
また、本発明の好ましい態様によれば、前記第１レンズ群は前記レンズ成分のみで構成することが好ましい。
【００３６】
また、本発明の好ましい態様によれば、前記レンズ成分の最も物体側のレンズは前記レンズＬ1であることが好ましい。
【００３７】
また、本発明の好ましい態様によれば、前記光学面Ｂと前記光学面Ｃの面形状は、各々像側に凸面を向けた形状であることが好ましい。
【００３８】
また、本発明の好ましい態様によれば、一般的な非球面の形状を、
光軸方向をｚ、光軸に垂直な方向をｈとする座標軸とし、Ｒを球面成分の光軸上における曲率半径、ｋを円錐定数、Ａ４，Ａ６，Ａ８，Ａ１０・・・を非球面係数として、非球面の形状を下記の式（１３）で表すと共に、
z＝h2／R［１＋｛１−（１＋k）h2／R2 ｝1/2 ］
＋Ａ4 h4 ＋Ａ6 h6 ＋Ａ8 h8 ＋Ａ10h10＋・・・         …（１３）
偏倚量を下記の式（１４）で表した場合、
Δz＝ｚ−h2／R［１＋｛１−h2／R2 ｝1/2 ］                      …（１４）
以下の条件式（１５）を満足することを特徴とする。
(ΔｚA（h）＋ΔｚＢ（h）)/２≦ΔｚC(h)≦10・(ΔｚA（h）＋ΔｚＢ（h）)/２
〈但し、ｈ＝2.5a〉…（１５）
ここで、
ｚAは前記光学面Ａの形状であって、式（１３）に従う形状、
ｚDは前記光学面Ｄの形状であって、式（１３）に従う形状、
ｚCは前記光学面Ｃの形状であって、式（１３）に従う形状、
ΔｚAは前記光学面Ａにおける偏倚量であって、式（１４）に従う量、
ΔｚDは前記光学面Ｄにおける偏倚量であって、式（１４）に従う量、
ΔｚCは前記光学面Ｃにおける偏倚量であって、式（１４）に従う量、
ＲCは前記光学面Ｃの近軸曲率半径（≦０）、
aは以下の条件式（１６）に従う量、
a＝(ｙ10)2・log10γ／ｆw  …（１６）
また、式（１６）において、
ｙ10は最大像高、
ｆwは前記結像光学系の広角端における前記結像光学系全系の焦点距離、
γは前記結像光学系におけるズーム比（望遠端での全系焦点距離／広角端での全系焦点距離）、
また、各面の面頂を原点とするため、常にｚ（０）＝０である。
【００３９】
また、本発明の好ましい態様によれば、前記第２レンズ群は物体側から順に、負レンズ成分と３枚のレンズが接合されたレンズ成分よりなり、前記３枚のレンズのうち中央のレンズは条件式（７）、（８）、（９）を満足することが好ましい。
【００４０】
また、本発明の好ましい態様によれば、前記後群は２つの正レンズ群からなることが好ましい。
【００４１】
また、本発明の好ましい態様によれば、前記２つの正レンズ群のうち、物体側のレンズ群は１つの正レンズ成分と１つの負レンズ成分からなり、前記負レンズ成分は３枚のレンズが接合されてなり、該負レンズ成分は、最も物体側の正レンズと、中央のレンズと、最も像側の負レンズで構成され、該中央のレンズは条件式（７）、（８）、（９）を満足することが好ましい。
【００４２】
また、本発明にかかる電子撮像装置は、
前記結像光学系と、
電子撮像素子と、
前記結像光学系を通じて結像された像を前記電子撮像素子で撮像することによって得られた画像データを加工して前記像の形状を変化させた画像データとして出力する画像処理手段を有し、
前記結像光学系がズームレンズであり、
該ズームレンズが、無限遠物点合焦時に以下の条件式（１６）を満足することを特徴とする。
０．７０＜ｙ07／（ｆｗ・ｔａｎω07w）＜０．９７  …(１６)
但し、ｙ07は前記電子撮像素子の有効撮像面内（撮像可能な面内）で中心から最も遠い点までの距離（最大像高）をｙ10としたときｙ07＝０．７ｙ10で表され、ω07wは広角端における前記撮像面上の中心からｙ07の位置に結ぶ像点に対応する物点方向の光軸に対する角度、ｆｗは広角端における前記結像光学系の全系の焦点距離である。
【発明の効果】
【００４３】
本発明によれば、光学系の小型化・薄型化の達成及び色収差を中心とした諸収差の良好な補正状態の達成を両立できる結像光学系とそれを有する撮像装置を得ることができるという効果を奏する。
【発明を実施するための最良の形態】
【００４４】
実施例の説明に先立ち、本実施形態の結像光学系の作用効果について説明する。
本実施形態の結像光学系には所定のレンズ成分が用いられている。この所定のレンズ成分は、アッベ数νd1の透明材質からなるレンズＬ1と、アッベ数νd2の透明材質からなる中間層Ｌ2と、アッベ数νd3の透明材質からなるレンズＬ3で構成されている。ここで、中間層Ｌ2はレンズＬ1の光学面Ｂに密着しており、中間層Ｌ2の光学面Ｃの形状は非球面形状であり、レンズＬ3は光学面Ｃに密着されている。また、レンズＬ1、中間層Ｌ2及びレンズＬ3は、密着されている。
【００４５】
空気接触面に非球面を適用した場合、この非球面によって、球面収差、コマ収差、歪曲収差に対して大きな補正効果を得ることができる。しかしながら、高次の色収差、つまり色の球面収差、色コマ、倍率色収差の像高に関する高次成分（色の歪曲収差）に対しては、空気接触面を非球面化したのでは十分な補正効果を得ることができない。そこで、本実施形態の結像光学系では、分散の大きく異なる透明材質の界面、すなわち上記の光学面Ｃを非球面化している。このようにすることで、所定のレンズ成分において、高次の色収差に対して大きな補正効果を得ることができる。その結果、光学系の小型化・薄型化の達成、及び色収差を中心とした諸収差の良好な補正状態の達成を両立することが可能になる。
【００４６】
そして、本実施形態の結像光学系では、以下の条件式（１）、（２）を満足している。
０．０１２＜1/νd3−1/νd1＜０．０９０  …（１）
０．０１０＜1/νd3−1/νd2              …（２）
ここで、
νd1は前記レンズＬ1のアッベ数（ｎd1−１）／（ｎF1−ｎC1）、
νd2は前記中間層Ｌ2のアッベ数（ｎd2−１）／（ｎF2−ｎC2）、
νd3は前記レンズＬ3のアッベ数（ｎd3−１）／（ｎF3−ｎC3）、
ｎd1、ｎC1、ｎF1は各々前記レンズＬ1のｄ線、Ｃ線、Ｆ線に対する屈折率、ｎd2、ｎC2、ｎF2は各々前記中間層Ｌ2のｄ線、Ｃ線、Ｆ線に対する屈折率、ｎd3、ｎC3、ｎF3は各々前記レンズＬ3のｄ線、Ｃ線、Ｆ線に対する屈折率を表す。
【００４７】
条件式（１）は、レンズＬ1とレンズＬ3それぞれを構成する媒質どうしのアッベ数差を規定したものである。焦点位置の色収差と、焦点距離の色収差とを補正するための条件としての意味がある。条件式（１）の下限値を下回ると、これらの色収差が補正不足になりやすい。一方、条件式（１）の上限値を上回ると、球面収差など他の収差補正との関連で、これら色収差が補正過剰になりやすい。なお、ここで言う焦点位置の色収差と焦点距離の色収差は、Ｃ線とＦ線の２波長間の色収差を意味する。
【００４８】
条件式（２）は、中間層Ｌ2とレンズＬ3とをそれぞれを構成する媒質どうしのアッベ数差を規定したものである。条件式（２）は、高次の色収差を補正するための条件としての意味がある。条件式（２）の下限値を下回ると、これらの色収差を十分に補正することが出来ない。また、このアッベ数差は大きいほど効果があり、しかも、他の収差への影響も少なくなる方向である。このため、条件式（１）の上限値については無制限である（実在する媒質で決まる）。
【００４９】
なお、条件式（１）、（２）に代えて、次の条件式（１’）、（２’）を満足すると、より好ましい。
０．０１７＜1/νd3−1/νd1＜０．０９０  …（１’）
０．０１５＜1/νd3−1/νd2              …（２’）
さらに、条件式（１）、（２）に代えて、次の条件式（１”）、（２”）を満足すると、より一層好ましい。
０．０２２＜1/νd3−1/νd1＜０．０９０  …（１”）
０．０２０＜1/νd3−1/νd2              …（２”）
【００５０】
なお、本実施形態の結像光学系においては、光学面Ｃを屈折面として用いるのが好ましい。
【００５１】
また、同様に光学面Ｂも屈折面として用いるのが好ましい。
【００５２】
また、本実施形態の結像光学系は、以下の条件式（３）を満たすとよい。
｜ｎd2−ｎd3｜＜０．２７  …（３）
ここで、ｎd2、ｎd3はそれぞれ中間層Ｌ2、レンズＬ3の材質のｄ線に対する屈折率である。
【００５３】
条件式（３）を満足すると、中間層Ｌ2とレンズＬ3との屈折率差が小さくなるので、高次の色収差を補正する場合に他の収差への影響が少なくなる。条件式（３）の上限値を上回ると高次の色収差を補正できても、高次の球面収差、コマ収差が発生しやすくなる。
【００５４】
なお、条件式（３）に代えて、次の条件式（３’）を満足すると、より好ましい。
｜ｎd2−ｎd3｜＜０．２０  …（３’）
さらに、条件式（３）に代えて、次の条件式（３”）を満足すると、より一層好ましい。
｜ｎd2−ｎd3｜＜０．１３  …（３”）
【００５５】
また、本実施形態の結像光学系は、条件式（４）を満足するのが好ましい。
１．６５＜ｎd1  …（４）
ここで、ｎd1はレンズＬ1の材質のｄ線に対する屈折率である。
【００５６】
条件式（４）の下限値を下回ると、球面収差、コマ収差を一定以上に補正した状態で光学系の全長を短縮することが困難となる。
【００５７】
なお、条件式（４）に代えて、次の条件式（４’）を満足すると、より好ましい。
１．７３＜ｎd1  …（４’）
さらに、条件式（４）に代えて、次の条件式（４”）を満足すると、より一層好ましい。
１．８０＜ｎd1  …（４”）
【００５８】
また、本実施形態の結像光学系は、以下の条件式（５）、（６）を満足すると好ましい。
−０．７０＜Φ3／Φ1＜−０．１０  …（５）
｜Φ1｜＞｜Φ3｜＞｜Φ2｜         …（６）  
ここで、Φ1、Φ2、Φ3はそれぞれレンズＬ1、中間層Ｌ2、レンズＬ3の空気中での屈折力である。
【００５９】
条件式（５）はレンズＬ1とレンズＬ3それぞれのパワー比を規定したものである。条件式（５）の上限値を上回ると 球面収差、コマ収差、焦点位置の色収差、焦点距離の色収差の補正が困難となる。また、条件式（５）の下限値を下回るとレンズ成分としてのパワーが不足して光学系全長が長くなる。
条件式（６）はレンズＬ1のパワーを最も強くし、中間層Ｌ2のパワーを最も弱くすることを規定したものである。この条件式（６）を満足しない（順番が１つでも逆転する）と、球面収差、コマ収差、焦点位置の色収差、焦点距離の色収差の補正を行いつつ、レンズ成分全体として必要な近軸量（特にパワー）を確保することが困難となる。
【００６０】
なお、条件式（５）に代えて、次の条件式（５’）を満足すると、より好ましい。
−０．６０＜Φ3／Φ1＜−０．２０  …（５’）
さらに、条件式（５）に代えて、次の条件式（５”）を満足すると、より一層好ましい。
−０．５０＜Φ3／Φ1＜−０．３０  …（５”）  
【００６１】
なお、所定のレンズ成分は、中間層Ｌ2をレンズＬ1の光学面Ｂに密着させ、さらに中間層Ｌ2の光学面ＣにレンズＬ3を密着させて形成するのが好ましい。このとき、レンズＬ1を基準にすると、中間層Ｌ2のアッベ数はレンズＬ1のアッベ数に近く、レンズＬ3のアッベ数はレンズＬ1のアッベ数と大きく異なることが好ましい。また、形成はレンズＬ1に対して中間層Ｌ2を硬化させ、中間層Ｌ2に対してレンズＬ3を硬化させるのが好ましい。これにより、レンズＬ1、中間層Ｌ2及びレンズＬ3を、互いに密着した状態にすることができる。
【００６２】
ここで、中間層Ｌ2をエネルギー硬化型樹脂にて構成するのが好ましい。その際、中間層Ｌ2の厚みが0.03mm以上2.00mm以下とするのが好ましい。また、レンズＬ3をエネルギー硬化型樹脂にて構成するのが好ましい。その際、レンズＬ3の厚みが0.03mm以上2.00mm以下とするのが好ましい。
【００６３】
このようにすると、極めて薄い層で中間層Ｌ2やレンズＬ3を形成することが可能になる。このため、所定のレンズ成分全体としての厚みを薄く出来る。また、所定のレンズ成分自身の薄型化のみならず、光学系において、無理に収差補正を行うことなく入射瞳位置を浅くできる。よって、光学系全体の小型化が実現できる。なお、ここでの厚みとは、レンズＬ1の光軸上で測った厚みのことである。
【００６４】
上記のように、所定のレンズ成分では、光学面Ｃが非球面で構成されている。このため、レンズＬ1は両面（光学面Ａと光学面Ｂ）ともに球面にて構成するのが好ましい。仮に、レンズＬ1を非球面で構成すると、レンズＬ1の光軸（両面の近軸曲率中心を結ぶ線）と非球面回転対称軸との間に加工上のズレが生じた場合に、回転非対称な収差が発生してしまう。
【００６５】
なお、所定のレンズ成分において、レンズＬ3の光学面Ｄに別の光学素子を付加しても良い。例えば、レンズＬ3の光学面Ｄに、第４のレンズや第５のレンズ、もしくは光学媒質層を順次接合しても良い。このようにすれば、色収差のみならず、球面収差、コマ収差、歪曲収差に関する高次の収差に亘り、より良好に補正することが可能である。ただし、実用的には別の光学素子を付加しなくてもよい。つまり、光学面Ｄは空気接触面であってもかまわない。
【００６６】
これまで、Ｃ線とＦ線の２波長間の焦点位置の色収差と焦点距離の色収差、および、色の球面収差、色コマ、倍率色収差の像高に関する高次成分（色の歪曲収差）つまり高次の色収差の補正方法について言及してきた。さらに、Ｃ線とＦ線の２波長間の色収差が補正されたときの他の波長に関する残存色収差の補正ができればより一層好ましい。
【００６７】
そこで、本実施形態の結像光学系では、
横軸をνd3、及び縦軸をθgF3とする直交座標系において、
θgF3＝α3×νd3＋βgF3（但し、α3＝−０．００５６６）
で表される直線を設定したときに、以下の条件式（７）の範囲の下限値であるときの直線、及び上限値であるときの直線で定まる領域と、
横軸をνd3、及び縦軸をｎd3とする直交座標系において、
ｎd3＝ａ3×νd3＋ｂ3（但し、ａ3＝−０．０２６７）
で表される直線を設定したときに、以下の条件式（８）の範囲の下限値であるときの直線、及び上限値であるときの直線で定まる領域と、
以下の条件式（９）で定まる領域との３つの領域に、レンズＬ3のθgF3及びｎd3及びνd3が含まれることが好ましい。
０．６５２０＜βgF3＜０．８１５０          …（７）
２．０＜ｂ3＜２．４（但し、ｎd3＞１．３）  …（８）
１０＜νd3＜３５                           …（９）  
ここで、
θgF3はレンズＬ3の部分分散比（ｎg3−ｎF3）／（ｎF3−ｎC3）、
νd3はレンズＬ3のアッベ数（ｎd3−1）／（ｎF3−ｎC3）、
ｎd3、ｎC3、ｎF3、ｎg3は各々レンズＬ3のｄ線、Ｃ線、Ｆ線、ｇ線に対する屈折率を表す。
【００６８】
条件式（７）はレンズＬ3の硝材の部分分散比θgF3に関するものである。条件式（７の範囲を外れる硝材をレンズＬ3に用いた場合（レンズＬ3を光学系に用いた場合）、二次スペクトルによる軸上色収差、倍率色収差つまりＦ線とＣ線で色消しをしたときのｇ線の軸上色収差、倍率色収差の補正が十分でなくなる。そのため、撮像で得た画像において、画面全体に亘り鮮鋭さを確保しづらい。
【００６９】
条件式（８）はレンズ体Ｌ3の硝材の屈折率に関するものである。条件式（８）の上限値を上回る硝材をレンズＬ3に用いた場合（レンズＬ3を光学系に用いた場合）、光学系全体としてのペッツバール和が大きくなりやすく、像面湾曲の補正がしづらい。 一方、条件式（８）の下限値を下回る硝材をレンズＬ3に用いた場合（レンズＬ3を光学系に用いた場合）、光学系全体としての球面収差が大きくなりやすい。
【００７０】
条件式（９）は、レンズＬ3の硝材のアッベ数に関するものである。条件式（９）の上限値を上回る硝材をレンズＬ3に用いた場合（レンズＬ3を光学系に用いた場合）、光学系全体としてＦ線とＣ線との色消しが困難となる。条件式（９）の下限値を下回る硝材をレンズＬ3に用いた場合（レンズＬ3を光学系に用いた場合）、光学系全体としてＦ線とＣ線との色消しが出来たとしても、ザイデルの５収差に対する補正効果が少なくなる。
【００７１】
なお、条件式（７）に代えて、次の条件式（７’）を満足すると、より好ましい。
０．６８２０＜βgF3＜０．７６４０  …（７’）
さらに、条件式（７）に代えて、次の条件式（７”）を満足すると、より一層好ましい。
０．７０２０＜βgF3＜０．７５３０  …（７”）
【００７２】
なお、条件式（８）に代えて、次の条件式（８’）を満足すると、より好ましい。
２．０６＜ｂ3＜２．３４（但し、ｎd3＞１．３）  …（８’）
さらに、条件式（８）に代えて、次の条件式（８”）を満足すると、より一層好ましい。
２．１１＜ｂ3＜２．２８（但し、ｎd3＞１．３）  …（８”）
【００７３】
なお、条件式（９）に代えて、次の条件式（９’）を満足すると、より好ましい。
１２．５＜νd3＜２８  …（９’）
さらに、条件式（９）に代えて、次の条件式（９”）を満足すると、より一層好ましい。
１４．８＜νd3＜２５  …（９”）
【００７４】
また、本実施形態の結像光学系では、前記直交座標とは別の、横軸をνd3、及び縦軸をθhg3とする直交座標系において
θhg3＝αhg3×νd3＋βhg3（但し、αhg3＝−０．００８３４）
で表される直線を設定したときに、以下の条件式（１０）の範囲の下限値であるときの直線、及び上限値であるときの直線で定まる領域と、
横軸をνd3、及び縦軸をｎd3とする直交座標系において、
ｎd3 ＝ａ3×νd3＋ｂ3（但し、ａ3＝−０．０２６７）
で表される直線を設定したときに、以下の条件式（８）の範囲の下限値であるときの直線、及び上限値であるときの直線で定まる領域と、
以下の条件式（９）で定まる領域との３つの領域に、レンズＬ3のθhg3及びｎd3及びνd3が含まれることが好ましい。
０．６０００＜βhg3＜０．８３２０          …（１０）
２．０＜ｂ3＜２．４（但し、ｎd3＞１．３）  …（８）
１０＜νd3＜３５                           …（９）  
ここで、θhg3はレンズＬ3の部分分散比（ｎh3−ｎg3）／（ｎF3−ｎC3）、ｎh3はｈ線に対するレンズＬ３の屈折率をそれぞれ表す。
【００７５】
条件式（１０）はレンズＬ3の硝材の部分分散比θhg3に関するものである、条件式（１０）の範囲を外れる硝材をレンズＬ3に用いた場合、二次スペクトルによる軸上色収差、倍率色収差つまりＦ線とＣ線で色消しをしたときのｈ線の軸上色収差、倍率色収差の補正が十分でなくなる。そのため、撮像で得た画像において、画面全体に亘り紫の色フレア、色にじみが発生しやすい。
【００７６】
なお、条件式（１０）に代えて、次の条件式（１０’）を満足すると、より好ましい。
０．６４００＜βhg3＜０．７８００  …（１０’）
さらに、条件式（１０）に代えて、次の条件式（１０”）を満足すると、より一層好ましい。
０．６７００＜βhg3＜０．７６００  …（１０”）
【００７７】
ところで、部分分散比θgFやθhgは、高分散の光学材料の方が低分散の光学材料に比べて一般的に大きい。このため、焦点位置の色収差および焦点距離の色収差をＣ線とＦ線にて補正すると、ｇ線やｈ線についての各色収差が残存する。つまり、２次スペクトルが発生する。そこで、レンズＬ3（高分散レンズ）とレンズＬ1（低分散レンズ）の部分分散比θgF、θhgの差を極力小さくすることが好ましい。このようにすることで、ｇ線やｈ線の色消しを行うことができる。
【００７８】
そこで、本実施形態の結像光学系は、以下の条件式（１１）を満足するのが好ましい。
−０．０７００≦θgF3−θgF1≦０．１５００  …（１１）
ここで、θgF1はレンズＬ1の部分分散比（ｎg1−ｎF1）／（ｎF1−ｎC1）、ｎd1、ｎC1、ｎF1、ｎg1は各々レンズＬ1のｄ線、Ｃ線、Ｆ線、ｇ線に対する屈折率を表す。
【００７９】
条件式（１１）を満足すると、二次スペクトル（特にｇ線の色収差）に対する補正効果が大きくなる。その結果、撮像で得た画像において鮮鋭性が増す（ズーム光学系の場合は特に望遠側において、その効果が増す）。
【００８０】
また、条件式（１１）に代えて、（１１’）を満足することが一層好ましい。
−０．０４００≦θgF3−θgF1≦０．０９００  …（１１’）
さらに、条件式（１１）に代えて、（１１”）を満足すると最も好ましい。
−０．０１００≦θgF3−θgF1≦０．０８００  …（１１”）
【００８１】
また、本実施形態の結像光学系は、以下の条件式（１２）を満足することが好ましい。
−０．１０００≦θhg3−θhg1≦０．２０００  …（１２）
ここで、θhg1はレンズＬ1の部分分散比（ｎh1−ｎg1）／（ｎF1−ｎC1）、ｎh1はｈ線に対するレンズＬ１の屈折率を表す。
【００８２】
条件式（１２）を満足すると、二次スペクトル（特にｈ線の色収差）に対する補正効果が大きくなる。その結果、撮像で得た画像において、色フレア、色にじみを軽減できる。この軽減は、ズーム光学系の場合は、特に望遠側において、その効果が顕著に増す。
【００８３】
また、上記条件式（１２）に代えて、（１２’）を満足するのがより望ましい。
−０．０６００≦θhg3−θhg1≦０．１４００  …（１２’）
さらに、上記条件式（１２）に代えて、（１２”）を満足すると最も良い。
−０．０２００≦θhg3−θhg1≦０．１２００  …（１２”）
【００８４】
ところで、光学系において、色収差の発生に深く関与するレンズ成分は、軸上光線高や主光線高が高い位置を通過するレンズ成分である。こうしたレンズ成分は正の合成屈折力を有することが多い。従って、所定のレンズ成分は、正のレンズ成分として用いるのがよい。
【００８５】
また、近軸焦点距離が負の値のレンズを負レンズとしたとき、レンズＬ3は負レンズであることが望ましい。所定のレンズ成分におけるレンズＬ3の役割は収差補正である。レンズＬ3が負レンズであると、収差補正の点で好ましい。
【００８６】
また、近軸焦点距離が正の値のレンズを正レンズとしたとき、レンズＬ1は正レンズであることが望ましい。レンズＬ1は、所定のレンズ成分の主たるパワーを担うレンズとなる。このことから、レンズＬ1は正レンズであるのが好ましい。
【００８７】
また、所定のレンズ成分を適用する結像光学系はズーム光学系が好ましい。このズーム光学系は、いわゆる正先行型（第１レンズ群が正の屈折力を有する）ズーム光学系であるのが好ましい。具体的には、ズーム光学系は、物体側から順に、正の屈折力を有する第１レンズ群と、負の屈折力を有する第２レンズ群と、正の屈折力を有する後群よりなり、後群は、変倍時に相対的間隔が可変である複数のレンズ群からなるのが好ましい。そして、第１レンズ群、第２レンズ群及び後群における各々の相対的間隔は、変倍時に可変であることがが好ましい。
さらに、所定のレンズ成分は、第１レンズ群に適用するのが好ましい。
【００８８】
また、第１レンズ群は所定のレンズ成分のみで構成するのが好ましい。このようにすると、光学系の薄型化に極めて効果がある。また、所定のレンズ成分の最も物体側のレンズをレンズＬ1とするのが好ましい。また、所定のレンズ成分において、光学面Ｂとレンズ面Ｃの面形状は、像側に凸面を向けた形状とするのが好ましい。
【００８９】
また、光軸方向をｚ、光軸に垂直な方向をｈとする座標軸とし、Ｒを球面成分の光軸上における曲率半径、ｋを円錐定数、Ａ４，Ａ６，Ａ８，Ａ１０・・・を非球面係数として、非球面の形状を下記の式（１３）で表す共に、
z＝h2／R［１＋｛１−（１＋k）h2／R2 ｝1/2 ］
＋Ａ4 h4 ＋Ａ6 h6 ＋Ａ8 h8 ＋Ａ10h10＋・・・        …（１３）
偏倚量を下記の式（１４）で表した場合、
Δz＝ｚ−h2／R［１＋｛１−h2／R2 ｝1/2 ］                      …（１４）
以下の条件式（１５）を満足することを特徴とする。
結像光学系は以下の条件式（１５）を満足するのが好ましい。
(ΔｚA（h）＋ΔｚＢ（h）)/２≦ΔｚC(h)≦10・(ΔｚA（h）＋ΔｚＢ（h）)/２
〈但し、ｈ＝2.5a〉…（１５）
ここで、
ｚAは光学面Ａの形状であって、式（１３）に従う形状、
ｚDは光学面Ｄの形状であって、式（１３）に従う形状、
ｚCは光学面Ｃの形状であって、式（１３）に従う形状、
ΔｚAは光学面Ａにおける偏倚量であって、式（１４）に従う量、
ΔｚDは光学面Ｄにおける偏倚量であって、式（１４）に従う量、
ΔｚCは光学面Ｃにおける偏倚量であって、式（１４）に従う量、
ＲCは光学面Ｃの近軸曲率半径（≦０）、
aは以下の条件式（１６）に従う量、
a＝(ｙ10)2・log10γ／ｆw  …（１６）
また、式（１６）において、
ｙ10は最大像高、
ｆwは結像光学系の広角端における結像光学系全系の焦点距離、
γは結像光学系におけるズーム比（望遠端での全系焦点距離／広角端での全系焦点距離）、
また、各面の面頂を原点とするため、常にｚ（０）＝０である。
【００９０】
条件式（１５）のいずれかの境界を外れると、ズーム光学系の望遠端における高次の色収差、つまり色の球面収差、色コマ、倍率色収差の像高に関する高次成分（色の歪曲収差）の補正が困難となる。
【００９１】
また、上記条件式（１５）に代えて、（１５’）を満足すると、より好ましい。
2・（ΔｚA（h）＋ΔｚD（h）)/２≦ΔｚC （h）≦９・（ΔｚA（h）＋ΔｚD（h））／２  …（１５’）
さらに、上記条件式（１５）に代えて、（１５”）を満足すると、最も好ましい。
３・（ΔｚA（h）＋ΔｚD（h））／２≦ΔｚC （h）≦８・（ΔｚA（h）＋ΔｚD（h））／２  …（１５”）
【００９２】
次に、所定のレンズ成分の製造方法について言及する。
まず、レンズＬ1の一方の光学面Ｂの表面に樹脂を滴下する。続いて、型などで樹脂の表面を押圧して所望の形状にする。そして、樹脂の表面が所望の形状になったところで、樹脂を硬化させる。これにより、レンズＬ1と樹脂が密着する。この樹脂が中間層Ｌ2になる。さらに、中間層Ｌ2の表面に別の樹脂を滴下する。続いて、別の樹脂の表面を押圧して所望の形状にする。そして、別の樹脂の表面が所望の形状になったところで、別の樹脂を硬化させる。これにより、レンズＬ1と別の樹脂が密着する。この別の樹脂がレンズＬ3になる。なお、樹脂の滴下は前記型などの方に行い、密着したい光学面で押圧あるいは前記型などを押し上げることで密着してもかまわない。
【００９３】
この様に、既存のレンズの表面に液体状の樹脂を密着させた後に、この樹脂を硬化させて成形して得られたレンズ成分を、ここでは複合レンズと称する。この製造方法は、接合レンズを薄くするのには極めて有効な方法である。なお、樹脂としてはエネルギー硬化型樹脂を用いるのが好ましい。エネルギー硬化型樹脂の例として、紫外線硬化型樹脂がある。
【００９４】
なお、レンズＬ1の表面には、樹脂を密着する前にあらかじめコーティングなど表面処理がなされていても良い。また、中間層Ｌ2の成形後に、中間層Ｌ2の表面にも、あらかじめコーティングなど表面処理がなされていてもかまわない。また、複合レンズの製造方法によれば、樹脂を密着する側の面だけを非球面にしておけばよい（樹脂側は自然に非球面になる）ので、これまで困難であった接合面の非球面化が容易に行える。
【００９５】
また、エネルギー硬化型樹脂の代わりに液体状（たとえば転移点以上の温度のガラス材料など）のガラスを用いてもよい。ガラスは樹脂に比べて、耐光性、耐薬品性等の耐性の面で有利である。この場合、レンズ材料の融点、転移点については、レンズＬ1が最も高く、レンズＬ3が最も低くなるように選ばなくてはならない。
【００９６】
また、第２レンズ群は、物体側から順に、負レンズ成分と３枚のレンズが接合されたレンズ成分（以下、３枚接合レンズ成分）よりなり、３枚のレンズのうち中央のレンズは条件式（７）、（８）、（９）を満足するレンズであることが好ましい。これにより、広角側での倍率色収差のＣ線-Ｆ線の色消しや、二次スペクトルの補正が行いやすくなる。また、３枚接合レンズ成分において、いずれかの接合面を非球面化すれば、広角側における高次の色収差補正が行いやすくなる。
【００９７】
なお、第２レンズ群の負レンズ成分は単レンズにて構成しても良い。
【００９８】
また、第２レンズ群の３枚接合レンズ成分については、最も物体側のレンズを正レンズ、最も像側のレンズを負レンズとするのがよい。
【００９９】
また、光学系の後群については、薄型化の観点で、２つの正レンズ群のみから構成するのが好ましい。
【０１００】
そして、後群の２つの正レンズ群のうち、物体側のレンズ群は１つの正レンズ成分と１つの負レンズ成分からなる。そして、負レンズ成分は、３枚のレンズが接合されて構成されている。この負レンズ成分は、最も物体側の正レンズと、中央のレンズと、最も像側の負レンズで構成されている。そして中央のレンズは、条件式（７）、（８）、（９）を満足するレンズであることが好ましい。
【０１０１】
これにより、広角側での軸上色収差のＣ線-Ｆ線の色消しや二次スペクトルの補正が行いやすくなる。また、負レンズ成分は肉厚公差に対して著しく敏感であるため、中央のレンズにエネルギー硬化型樹脂を用いるのが好ましい。このようにすると、中央のレンズを形成する際に、その肉厚を高精度にコントロールすることができる。そこで、所定の肉厚にした後に硬化させれば、肉厚誤差をなくすことが出来る。その結果、負レンズ成分、ひいては光学系の高性能化に結びつくので好ましい。
【０１０２】
また、物体側レンズ群の正レンズ成分については、単レンズにて構成するとよい。また、このレンズは両面ともに非球面にて構成するとよい。
【０１０３】
また、後群の２つの正レンズ群のうち、像側のレンズ群は１枚の正レンズにて構成してもよい。また、このレンズは、両面ともに非球面にて構成するとよい。
【０１０４】
なお、開口絞りについては、第２レンズ群と後群の間に配置するとよい。
【０１０５】
また、本実施形態の結像光学系は、正の第１レンズ群と、負の第２レンズ群と、開口絞りとを有する構成とすることができる。このような構成において、開口絞りより物体側に正の第１レンズ群を配置して、この正のレンズ群が有している負の屈折力のレンズＬ3が条件式（７）、（８）、（９）を満足するようにすればよい。このようにすると、特に望遠側における軸上色収差および倍率色収差を良好に補正できる。
【０１０６】
また、第２レンズ群の像側のレンズ成分に３枚接合を導入し、中央のレンズが条件式（７）、（８）、（９）を満足すること、または、いずれかの接合面を非球面とすることが好ましい。このようにすると、多少残存する広角側の倍率色収差を良好に補正出来る。
【０１０７】
また、別の手段によって改善することもできる。一例としては、画像処理によって収差を改善する手段がある。電子撮像装置には、上記の結像光学系、電子撮像素子、画像処理ユニットが搭載されているとする。そして、画像処理ユニットは、画像データを加工して、形状を変化させた画像データとして出力することが可能になっている。このような電子撮像装置を用いて、被写体の像を撮像する。撮像によって得られた画像データは、画像処理ユニットによって色分解され、色ごとの画像データになる。続いて、各々の画像データごとに、形状（被写体の像の大きさ）を変化させた後、これらの画像データを合成する。そのことにより、倍率色収差による画像周辺部の鮮鋭度劣化や、色にじみ発生を防ぐことが出来る。
なお、この方法は、特に色分解用モザイクフィルターを設けた電子撮像素子を有する電子撮像装置に対して有効である。
【０１０８】
また、電子撮像装置が複数の色ごとに電子撮像素子を有する場合は、得られた画像データに対して色分解を行う必要はなくなる。
一方、色分解とは、通常はＢ光（およそ400〜500nm）、Ｇ光（およそ500〜600nm）、Ｒ光（およそ600〜700nm）の３色分解による。このため、各バンドの範囲内における色収差の発生は好ましくない。特に、短波長領域に相当するＢ領域では２次スペクトルによる色収差の発生は好ましくない。従って、Ｂ領域での２次スペクトルによる倍率色収差の残存量が多い場合には、収差補正と画像処理との併用が好ましい。
【０１０９】
本実施形態の結像光学系は、以上述べた条件式や構成上の特徴を個々に満足あるいは備えている。これにより、光学系の小型化・薄型化を共に達成することが可能になり、良好な収差補正が実現できる。また、本実施形態の結像光学系は、上記条件式や構成上の特徴を、組み合わせて備える（満足する）こともできる。この場合、光学系の一層の小型化・薄型化、あるいは、より良好な収差補正を達成できる。また、本実施形態の結像光学系を有する電子撮像装置は、このような結像光学系を備えることにより、撮像された画像において、画像の鮮鋭化、色にじみの防止が図れる。
【０１１０】
次に、本発明の実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【０１１１】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【０１１２】
また、図３、図４、図５、図６、図７、図８は、実施例１にかかるズームレンズの無限遠物点合焦時における、それぞれθｇＦ＝０．６６８４、θｇＦ＝０．６３０７、θｇＦ＝０．６２５５、θｇＦ＝０．６２０３、θｇＦ＝０．６１０３、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【０１１３】
実施例１のズームレンズは、図１に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。なお、以下全ての実施例において、レンズ断面図中、ＬＰＦはローパスフィルタ、ＣＧはカバーガラス、Ｉは電子撮像素子の撮像面を示している。
【０１１４】
第１レンズ群Ｇ１は、両凸正レンズＬ１と像側に凸面を向けた正メニスカスレンズＬ２と両凹負レンズＬ３の接合レンズで構成されており、全体で正の屈折力を有している。ここで、両凸正レンズＬ１がレンズＬ１、正メニスカスレンズＬ２が中間層Ｌ２、両凹負レンズＬ３がレンズＬ３である。
【０１１５】
第２レンズ群Ｇ２は、物体側に凸面を向けた負メニスカスレンズＬ４と、両凹負レンズＬ５と、両凸正レンズＬ６で構成されており、全体で負の屈折力を有している。
【０１１６】
第３レンズ群Ｇ３は、両凸正レンズＬ７と、物体側に凸面を向けた正メニスカスレンズＬ８と物体側に凸面を向けた負メニスカスレンズＬ９の接合レンズで構成されており、全体で正の屈折力を有している。
【０１１７】
第４レンズ群Ｇ４は、両凸正レンズＬ１０で構成されており、全体で正の屈折力を有している。
【０１１８】
広角端から望遠端へと変倍する際には、第１レンズ群Ｇ１は物体側へ移動し、第２レンズ群Ｇ２は像側へ移動し、開口絞りＳは固定、第３レンズ群Ｇ３は物体側へ移動し、第４レンズ群Ｇ４は中間位置まで物体側へ移動し、中間位置からは像側へ移動する。
【０１１９】
非球面は、第１レンズ群Ｇ１中の両凹負レンズＬ３の両面、第２レンズ群Ｇ２中の物体側に凸面を向けた負メニスカスレンズＬ４の両面、両凹負レンズＬ５の両面、第３レンズ群Ｇ３中の両凸正レンズＬ７の両面、第４レンズ群Ｇ４中の両凸正レンズＬ１０の物体側の面の合計９面に設けられている。
【０１２０】
次に、本発明の実施例２にかかるズームレンズについて説明する。図９は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２１】
図１０は実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１２２】
また、図１１、図１２、図１３、図１４、図１５、図１６は、実施例２にかかるズームレンズの無限遠物点合焦時における、それぞれθｇＦ＝０．６６８４、θｇＦ＝０．６３０７、θｇＦ＝０．６２５５、θｇＦ＝０．６２０３、θｇＦ＝０．６１０３、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【０１２３】
実施例２のズームレンズは、図９に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【０１２４】
第１レンズ群Ｇ１は、両凸正レンズＬ１と像側に凸面を向けた正メニスカスレンズＬ２と両凹負レンズＬ３の接合レンズで構成されており、全体で正の屈折力を有している。なお、両凸正レンズＬ１はレンズＬ１、正メニスカスレンズＬ２は中間層Ｌ２、両凹負レンズＬ３はレンズＬ３である。
【０１２５】
第２レンズ群Ｇ２は、物体側に凸面を向けた負メニスカスレンズＬ４と、像側に凸面を向けた正メニスカスレンズＬ５と、両凹負レンズＬ６で構成されており、全体で負の屈折力を有している。
【０１２６】
第３レンズ群Ｇ３は、両凸正レンズＬ７と、両凸正レンズＬ８と両凹負レンズＬ９の接合レンズで構成されており、全体で正の屈折力を有している。
【０１２７】
第４レンズ群Ｇ４は、両凸正レンズＬ１０で構成されており、全体で正の屈折力を有している。
【０１２８】
広角端から望遠端へと変倍する際には、第１レンズ群Ｇ１は物体側へ移動し、第２レンズ群Ｇ２は像側へ移動し、開口絞りＳは固定、第３レンズ群Ｇ３は物体側へ移動し、第４レンズ群Ｇ４は中間位置まで物体側へ移動し、中間位置からは像側へ移動する。
【０１２９】
非球面は、第１レンズ群Ｇ１中の両凹負レンズＬ３の両面、第２レンズ群Ｇ２中の物体側に凸面を向けた負メニスカスレンズＬ４の両面と両凹負レンズＬ６の両面、第３レンズ群Ｇ３中の両凸正レンズＬ７の両面、第４レンズ群Ｇ４中の両凸正レンズＬ１０の物体側の面の合計９面に設けられている。
【０１３０】
次に、本発明の実施例３にかかるズームレンズについて説明する。図１７は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３１】
図１８は実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１３２】
また、図１９、図２０、図２１、図２２、図２３、図２４は、実施例３にかかるズームレンズの無限遠物点合焦時における、それぞれθｇＦ＝０．６６８４、θｇＦ＝０．６３０７、θｇＦ＝０．６２５５、θｇＦ＝０．６２０３、θｇＦ＝０．６１０３、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【０１３３】
実施例３のズームレンズは、図１７に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【０１３４】
第１レンズ群Ｇ１は、両凸正レンズＬ１と像側に凸面を向けた正メニスカスレンズＬ２と像側に凸面を向けた負メニスカスレンズＬ３の接合レンズで構成されており、全体で正の屈折力を有している。なお、両凸正レンズＬ１はレンズＬ１、正メニスカスレンズＬ２は中間層Ｌ２、負メニスカスレンズＬ３はレンズＬ３である。
【０１３５】
第２レンズ群Ｇ２は、物体側に凸面を向けた負メニスカスレンズＬ４と、像側に凸面を向けた正メニスカスレンズＬ５と両凹負レンズＬ６の接合レンズで構成されており、全体で負の屈折力を有している。
【０１３６】
第３レンズ群Ｇ３は、両凸正レンズＬ７と、両凸正レンズＬ８と両凹負レンズＬ９の接合レンズで構成されており、全体で正の屈折力を有している。
【０１３７】
第４レンズ群Ｇ４は、両凸正レンズＬ１０で構成されており、全体で正の屈折力を有している。
【０１３８】
広角端から望遠端へと変倍する際には、第１レンズ群Ｇ１は物体側へ移動し、第２レンズ群Ｇ２は中間位置まで物体側へ移動し、中間位置からは像側へ移動し、開口絞りＳは固定、第３レンズ群Ｇ３は物体側へ移動し、第４レンズ群Ｇ４は像側へ移動する。
【０１３９】
非球面は、第１レンズ群Ｇ１中の像側に凸面を向けた負メニスカスレンズＬ３の両面、第２レンズ群Ｇ２中の物体側に凸面を向けた負メニスカスレンズＬ４の両面と両凹負レンズＬ６の像側の面、第３レンズ群Ｇ３中の両凸正レンズＬ７の両面、第４レンズ群Ｇ４中の両凸正レンズＬ１０の両面の合計９面に設けられている。
【０１４０】
次に、本発明の実施例４にかかるズームレンズについて説明する。図２５は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１４１】
図２６は実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１４２】
また、図２７、図２８、図２９、図３０、図３１、図３２は、実施例４にかかるズームレンズの無限遠物点合焦時における、それぞれθｇＦ＝０．６６８４、θｇＦ＝０．６３０７、θｇＦ＝０．６２５５、θｇＦ＝０．６２０３、θｇＦ＝０．６１０３、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【０１４３】
実施例４のズームレンズは、図２５に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【０１４４】
第１レンズ群Ｇ１は、両凸正レンズＬ１と像側に凸面を向けた正メニスカスレンズＬ２と像側に凸面を向けた負メニスカスレンズＬ３の接合レンズで構成されており、全体で正の屈折力を有している。なお、両凸正レンズＬ１はレンズＬ１、正メニスカスレンズＬ２は中間層Ｌ２、負メニスカスレンズＬ３はレンズＬ３である。
【０１４５】
第２レンズ群Ｇ２は、物体側に凸面を向けた負メニスカスレンズＬ４と、像側に凸面を向けた正メニスカスレンズＬ５と両凹負レンズＬ６の接合レンズで構成されており、全体で負の屈折力を有している。
【０１４６】
第３レンズ群Ｇ３は、両凸正レンズＬ７と、両凸正レンズＬ８と像側に凸面を向けた負メニスカスレンズＬ９と両凹負レンズＬ１０の接合レンズで構成されており、全体で正の屈折力を有している。
【０１４７】
第４レンズ群Ｇ４は、両凸正レンズＬ１１で構成されており、全体で正の屈折力を有している。
【０１４８】
広角端から望遠端へと変倍する際には、第１レンズ群Ｇ１は物体側へ移動し、第２レンズ群Ｇ２は中間位置まで物体側へ移動し、中間位置からは像側へ移動し、開口絞りＳは固定、第３レンズ群Ｇ３は物体側へ移動し、第４レンズ群Ｇ４は像側へ移動する。
【０１４９】
非球面は、第１レンズ群Ｇ１中の像側に凸面を向けた負メニスカスレンズＬ３の両面、第２レンズ群Ｇ２中の物体側に凸面を向けた負メニスカスレンズＬ４の両面と両凹負レンズＬ６の像側の面、第３レンズ群Ｇ３中の両凸正レンズＬ７の両面、第４レンズ群Ｇ４中の両凸正レンズＬ１０の両面の合計９面に設けられている。
【０１５０】
次に、本発明の実施例５にかかるズームレンズについて説明する。図３３は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【０１５１】
図３４は実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１５２】
また、図３５、図３６、図３７、図３８、図３９、図４０は、実施例５にかかるズームレンズの無限遠物点合焦時における、それぞれθｇＦ＝０．６６８４、θｇＦ＝０．６３０７、θｇＦ＝０．６２５５、θｇＦ＝０．６２０３、θｇＦ＝０．６１０３、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【０１５３】
実施例５のズームレンズは、図３３に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【０１５４】
第１レンズ群Ｇ１は、両凸正レンズＬ１と像側に凸面を向けた正メニスカスレンズＬ２と像側に凸面を向けた負メニスカスレンズＬ３の接合レンズで構成されており、全体で正の屈折力を有している。なお、両凸正レンズＬ１はレンズＬ１、正メニスカスレンズＬ２は中間層Ｌ２、負メニスカスレンズＬ３はレンズＬ３である。
【０１５５】
第２レンズ群Ｇ２は、物体側に凸面を向けた負メニスカスレンズＬ４と、像側に凸面を向けた正メニスカスレンズＬ５と像側に凸面を向けた正メニスカスレンズＬ６と両凹負レンズＬ７の接合レンズで構成されており、全体で負の屈折力を有している。
【０１５６】
第３レンズ群Ｇ３は、両凸正レンズＬ８と、両凸正レンズＬ９と両凹負レンズＬ１０の接合レンズで構成されており、全体で正の屈折力を有している。
【０１５７】
第４レンズ群Ｇ４は、両凸正レンズＬ１１で構成されており、全体で正の屈折力を有している。
【０１５８】
広角端から望遠端へと変倍する際には、第１レンズ群Ｇ１は物体側へ移動し、第２レンズ群Ｇ２は中間位置まで物体側へ移動し、中間位置からは像側へ移動し、開口絞りＳは固定、第３レンズ群Ｇ３は物体側へ移動し、第４レンズ群Ｇ４は像側へ移動する。
【０１５９】
非球面は、第１レンズ群Ｇ１中の像側に凸面を向けた負メニスカスレンズＬ３の両面、第２レンズ群Ｇ２中の物体側に凸面を向けた負メニスカスレンズＬ４の両面と両凹負レンズＬ７の両面、第３レンズ群Ｇ３中の両凸正レンズＬ８の両面、第４レンズ群Ｇ４中の両凸正レンズＬ１１の両面の合計１０面に設けられている。
【０１６０】
次に、本発明の実施例６にかかるズームレンズについて説明する。図４１は本発明の実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１６１】
図４２は実施例６にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１６２】
また、図４３、図４４、図４５、図４６、図４７、図４８は、実施例６にかかるズームレンズの無限遠物点合焦時における、それぞれθｇＦ＝０．６６８４、θｇＦ＝０．６３０７、θｇＦ＝０．６２５５、θｇＦ＝０．６２０３、θｇＦ＝０．６１０３、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【０１６３】
実施例６のズームレンズは、図４１に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。なお、以下全ての実施例において、レンズ断面図中、ＣＧはカバーガラス、Ｉは電子撮像素子の撮像面を示している。
【０１６４】
第１レンズ群Ｇ１は、両凸正レンズＬ１と像側に凸面を向けた正メニスカスレンズＬ２と像側に凸面を向けた負メニスカスレンズＬ３の接合レンズで構成されており、全体で正の屈折力を有している。なお、両凸正レンズＬ１はレンズＬ１、正メニスカスレンズＬ２は中間層Ｌ２、負メニスカスレンズＬ３はレンズＬ３である。
【０１６５】
第２レンズ群Ｇ２は、物体側に凸面を向けた負メニスカスレンズＬ４と、像側に凸面を向けた正メニスカスレンズＬ５と像側に凸面を向けた負メニスカスレンズＬ６と両凹負レンズＬ７の接合レンズで構成されており、全体で負の屈折力を有している。
【０１６６】
第３レンズ群Ｇ３は、両凸正レンズＬ８と、両凸正レンズＬ９と像側に凸面を向けた負メニスカスレンズＬ１０と両凹負レンズＬ１１の接合レンズで構成されており、全体で正の屈折力を有している。
【０１６７】
第４レンズ群Ｇ４は、両凸正レンズＬ１１で構成されており、全体で正の屈折力を有している。
【０１６８】
広角端から望遠端へと変倍する際には、第１レンズ群Ｇ１は物体側へ移動し、第２レンズ群Ｇ２は中間位置まで物体側へ移動し、中間位置からは像側へ移動し、開口絞りＳは固定、第３レンズ群Ｇ３は物体側へ移動し、第４レンズ群Ｇ４は像側へ移動する。
【０１６９】
非球面は、第１レンズ群Ｇ１中の像側に凸面を向けた負メニスカスレンズＬ３の両面、第２レンズ群Ｇ２中の物体側に凸面を向けた負メニスカスレンズＬ４の両面と両凹負レンズＬ７の両面、第３レンズ群Ｇ３中の両凸正レンズＬ８の両面、第４レンズ群Ｇ４中の両凸正レンズＬ１１の両面の合計１０面に設けられている。
【０１７０】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、*は非球面、STOは絞りをそれぞれ示している。
【０１７１】
また、非球面形状は、光軸方向をｚ、光軸に直交する方向をｙにとり、円錐係数をＫ、非球面係数をＡ４、Ａ６、Ａ８、Ａ１０としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10
また、Ｅは１０のべき乗を表している。なお、これら諸元値の記号は後述の実施例の数値データにおいても共通である。
【０１７２】
数値実施例１
単位  mm
面データ
面番号       r            d              nd         νd
物面        ∞            ∞   
1         27.5263       4.1000        1.69680       55.53   
2        -48.8322       0.1000        1.52540       51.81   
3*       -44.3924       0.1000        1.63387       23.38  
4*       313.8039       可変   
5*        74.1893       0.8000        1.88300       40.76  
6*         5.4229       2.5000      
7*       -13.6848       0.7000        1.53071       55.69   
8*        14.1178       0.2000       
9         10.0798       1.5000        1.84666       23.78 
10      -167.9691       可変    
11(絞り)    ∞          可変   
12*        6.5038       1.8000        1.74320       49.34    
13*      -17.6436       0.1500  
14         8.0578       1.8000        1.69680       55.53   
15       379.8834       0.5000        1.84666       23.78  
16         3.7517       可変  
17*       10.3461       2.2078        1.53071       55.69  
18      -430.2283       可変        
19          ∞          0.4000        1.54771       62.84    
20          ∞          0.5000        
21          ∞          0.5000        1.51633       64.14 
22          ∞          0.3138         
像面        ∞          
非球面データ
第３面
K=0.
A2=0.0000E+00,A4=1.5000E-05,A6=0.0000E+00,A8=0.0000E+00,A10=0.0000E+00
第４面
K=0.
A2=0.0000E+00,A4=7.8729E-06,A6=8.1109E-09,A8=-6.8715E-11,A10=2.8931E-13
第５面
K=0.
A2=0.0000E+00,A4=-1.6276E-04,A6=1.1606E-05,A8=-1.3614E-07,A10=0.0000E+00
第６面
K=-0.0048
A2=0.0000E+00,A4=-5.7553E-04,A6=1.0546E-05,A8=-1.8873E-08,A10=0.0000E+00
第７面
K=0.
A2=0.0000E+00,A4=4.6520E-04,A6=-1.3486E-05,A8=0.0000E+00,A10=0.0000E+00
第８面
K=0.
A2=0.0000E+00,A4=6.7577E-04,A6=-5.1037E-06,A8=0.0000E+00,A10=0.0000E+00
第１２面
K=0.
A2=0.0000E+00,A4=-6.4005E-04,A6=2.6231E-06,A8=0.0000E+00,A10=0.0000E+00
第１３面
K=0.
A2=0.0000E+00,A4=1.0342E-04,A6=8.6225E-06,A8=0.0000E+00,A10=0.0000E+00
第１７面
K=0.2205
A2=0.0000E+00,A4=-1.5525E-04,A6=2.0896E-05,A8=-5.5829E-07,A10=7.6555E-09
各種データ
ズーム比
広角         中間          望遠
焦点距離          4.97131      13.20654      35.04520       
Fno.              3.2000        3.7503        4.7519          
画角             39.1°        16.1°         6.2°    
像高              3.840         3.840         3.840
レンズ全長       39.4196       45.6616       54.9555
BF                0.31384       0.28904       0.53139   
d4                0.30000      10.97348      20.68937
d10               8.84077       0.82192       1.27164
d11               5.32512       4.74986       0.30000
d16               4.01701       7.00148      13.47168
d18               2.76509       3.96799       0.83358
ズームレンズ群データ
群      始面       焦点距離
1        1           40.93264  
2        5           -8.14099   
3       12           10.00943  
4       17           19.07020   
（硝材屈折率テーブル）・・・ 本実施例にて使用した媒質の波長別屈折率一覧
レンズＬ３には以下6種類の媒質のいずれを用いてもよい。
GLA                         587.56   656.27   486.13   435.84   404.66
L3           θgF=0.6684   1.633870 1.626381 1.653490 1.671610 1.688826
L3           θgF=0.6307   1.634076 1.626381 1.653490 1.670588 1.686380
L3           θgF=0.6255   1.634098 1.626381 1.653490 1.670447 1.685995
L3           θgF=0.6203   1.634112 1.626381 1.653490 1.670306 1.685607
L3           θgF=0.6103   1.634188 1.626381 1.653490 1.670035 1.684907
L3           θgF=0.5840   1.634361 1.626381 1.653490 1.669322 1.683094
レンズＬ３以外の媒質を以下に掲げる。
GLA                         587.56   656.27   486.13   435.84   404.66
L11                        1.547710 1.545046 1.553762 1.558427 1.562262
L5, L10                    1.530710 1.527870 1.537400 1.542740 1.547272
L2                         1.525400 1.522390 1.532540 1.538280 1.543120
L12                        1.516330 1.513855 1.521905 1.526213 1.529768
L4                         1.882997 1.876560 1.898221 1.910495 1.920919
L1,L8                      1.696797 1.692974 1.705522 1.712339 1.718005
L7                         1.743198 1.738653 1.753716 1.762046 1.769040
L6,L9                      1.846660 1.836488 1.872096 1.894186 1.914294
各面の非球面量
第２面
Y            ASP            SPH           ΔｚA(h)
6.289       -0.40667       -0.40667        -0.00000
第３面
Y            ASP            SPH           ΔｚC(h)
6.289       -0.42427       -0.44773         0.02346
第４面
Y            ASP            SPH           ΔｚD(h)
6.289        0.07570        0.06303         0.01268
【０１７３】
数値実施例２
単位  mm
面データ
面番号       r            d              nd         νd
物面         ∞           ∞   
1         29.6977       4.0000        1.69680       55.53    
2        -45.9888       0.1000        1.52540       51.81    
3*       -41.8075       0.1000        1.63387       23.38   
4*      1374.4475       可変     
5*        53.3825       0.8000        1.83481       42.71   
6*         5.2515       2.5000           
7       -197.1570       1.8000        1.84666       23.78   
8         -9.6987       0.1200  
9*       -11.2501       0.7000        1.53071       55.69   
10*       25.7016       可変       
11(絞り)    ∞          可変             
12*        6.8450       1.8000        1.74320       49.34   
13*      -17.0520       0.1000     
14         8.0078       1.8000        1.72000       46.02   
15       -88.2831       0.5000        1.84666       23.78   
16         3.8940       可変        
17*       10.3370       2.2078        1.53071       55.69   
18       -98.7099       可変             
19          ∞          0.4000        1.54771       62.84  
20          ∞          0.5000          
21          ∞          0.5000        1.51633       64.14   
22          ∞          0.3340     
像面        ∞          
非球面データ
第３面
K=0.
A2=0.0000E+00,A4=1.5000E-05,A6=0.0000E+00,A8=0.0000E+00,A10=0.0000E+00
第４面
K=0.
A2=0.0000E+00,A4=7.5246E-06,A6=3.0579E-09,A8=9.1717E-12,A10=-9.1698E-14
第５面
K=0.0318
A2=0.0000E+00,A4=-6.3770E-05,A6=-4.7272E-07,A8=3.1249E-08,A10=0.0000E+00
第６面
K=-0.0058
A2=0.0000E+00,A4=1.0537E-04,A6=3.7041E-06,A8=-1.5329E-06,A10=0.0000E+00
第９面
K=0.
A2=0.0000E+00,A4=-1.2224E-03,A6=4.6104E-06,A8=8.6277E-07,A10=0.0000E+00
第１０面
K=0.
A2=0.0000E+00,A4=-1.8459E-03,A6=5.9675E-06,A8=1.9641E-06,A10=0.0000E+00
第１２面
K=0.
A2=0.0000E+00,A4=-6.2179E-04,A6=3.8221E-06,A8=0.0000E+00,A10=0.0000E+00
第１３面
K=0.
A2=0.0000E+00,A4=4.1895E-05,A6=8.4419E-06,A8=0.0000E+00,A10=0.0000E+00
第１７面
K=0.2233
A2=0.0000E+00,A4=-3.1282E-05,A6=9.1886E-06,A8=4.6632E-09,A10=-1.6451E-09
各種データ
ズーム比
広角         中間          望遠
焦点距離          4.97067      13.20393      35.01903       
Fno.              3.1039        3.5465        4.5498         
画角             39.1°        16.2°         6.2°    
像高              3.840         3.840         3.840
レンズ全長       39.6412       45.7224       55.1556
BF                0.33404       0.33996       0.54862  
d4                0.30000      10.98231      20.71623
d10               8.87653       0.80304       1.22888
d11               5.44307       4.74614       0.30000
d16               3.98507       7.00914      13.52559
d18               2.77471       3.91401       0.90847
ズームレンズ群データ
群      始面        焦点距離
1        1          41.48825   
2        5          -8.33773    
3       12          10.03711   
4       17          17.75600 
（硝材屈折率テーブル）・・・ 本実施例にて使用した媒質の波長別屈折率一覧
レンズＬ３には以下6種類の媒質のいずれを用いてもよい。
GLA                         587.56   656.27   486.13   435.84   404.66
L3           θgF=0.6684   1.633870 1.626381 1.653490 1.671610 1.688826
L3           θgF=0.6307   1.634076 1.626381 1.653490 1.670588 1.686380
L3           θgF=0.6255   1.634098 1.626381 1.653490 1.670447 1.685995
L3           θgF=0.6203   1.634112 1.626381 1.653490 1.670306 1.685607
L3           θgF=0.6103   1.634188 1.626381 1.653490 1.670035 1.684907
L3           θgF=0.5840   1.634361 1.626381 1.653490 1.669322 1.683094
レンズＬ３以外の媒質を以下に掲げる。
GLA                         587.56   656.27   486.13   435.84   404.66
L11                        1.547710 1.545046 1.553762 1.558427 1.562262
L6,L10                     1.530710 1.527870 1.537400 1.542740 1.547272
L2                         1.525400 1.522390 1.532540 1.538280 1.543120 
L12                        1.516330 1.513855 1.521905 1.526213 1.529768
L4                         1.834807 1.828975 1.848520 1.859547 1.868911
L1                         1.696797 1.692974 1.705522 1.712339 1.718005 
L7                         1.743198 1.738653 1.753716 1.762046 1.769040
L8                         1.720002 1.715330 1.730974 1.739788 1.747274
L5,L9                      1.846660 1.836488 1.872096 1.894186 1.914294
各面の非球面量
第２面
Y            ASP            SPH           ΔｚA(h)
6.288       -0.43190       -0.43190        -0.00000
第３面
Y            ASP            SPH           ΔｚC(h)
6.288       -0.45212       -0.47557         0.02345
第４面
Y            ASP            SPH           ΔｚD(h)
6.288        0.02635        0.01438         0.01197
【０１７４】
数値実施例３
単位  mm
面データ
面番号       r            d              nd         νd
物面         ∞           ∞   
1         32.5925       4.0000        1.72916       54.68   
2        -30.6010       0.2000        1.52540       51.81 
3*       -28.7172       0.1000        1.63387       23.38    
4*      -177.0432       可変     
5*       124.9393       0.8000        1.85135       40.10    
6*         6.5898       2.7747      
7        -83.1520       1.7176        1.94595       17.98  
8        -12.7647       0.7000        1.74320       49.34    
9*        54.0262       可変    
10(絞り)    ∞          0           
11*        4.4837       2.5441        1.59201       67.02    
12*      -30.7701       0.1010      
13         7.8610       1.4280        1.49700       81.54    
14        -9.2372       0.4200        1.62004       36.26    
15         3.4521       可変     
16*       22.7893       2.3677        1.53071       55.69    
17*      -13.6916       可変    
18          ∞          0.4000        1.51633       64.14    
19          ∞          0.5000     
20          ∞          0.5000        1.51633       64.14   
21          ∞          0.3127     
像面        ∞          
非球面データ
第３面
K=-0.0016
A2=0.0000E+00,A4=4.2901E-05,A6=1.2508E-07,A8=-1.9714E-09,A10=0.0000E+00
第４面
K=0.
A2=0.0000E+00,A4=1.6095E-05,A6=3.2060E-08,A8=-3.4634E-10,A10=9.7277E-13
A12=-1.4590E-14,A14=0.0000E+00,A16=0.0000E+00,A18=0.0000E+00,A20=0.0000E+00
第５面
K=0.
A2=0.0000E+00,A4=-1.3849E-04,A6=-1.3476E-07,A8=1.5487E-08,A10=-1.4110E-10
第６面
K=0.
A2=0.0000E+00,A4=7.6298E-05,A6=2.9686E-06,A8=1.1996E-07,A10=-1.8781E-08
第９面
K=0.
A2=0.0000E+00,A4=-3.8339E-04,A6=-6.5852E-06,A8=4.9468E-07,A10=-1.1383E-08
A12=1.8720E-10,A14=0.0000E+00,A16=0.0000E+00,A18=0.0000E+00,A20=0.0000E+00
第１１面
K=0.
A2=0.0000E+00,A4=-4.2168E-04,A6=2.8782E-04,A8=-1.0758E-04,A10=2.0092E-05
A12=-1.2693E-06,A14=0.0000E+00,A16=0.0000E+00,A18=0.0000E+00A20=0.0000E+00
第１２面
K=0.
A2=0.0000E+00,A4=1.4382E-03,A6= 5.7157E-04,A8=-2.5981E-04,A10=6.2688E-05
A12=-5.0861E-06,A14=0.0000E+00,A16=0.0000E+00,A18=0.0000E+00,A20=0.0000E+00
第１６面
K=0.
A2=0.0000E+00,A4=-5.1496E-05,A6=2.3163E-06,A8=0.0000E+00,A10=0.0000E+00
A12=2.6933E-10,A14=0.0000E+00,A16=0.0000E+00,A18=0.0000E+00,A20=0.0000E+00
第１７面
K=0.
A2=0.0000E+00,A4=0.0000E+00,A6=0.0000E+00,A8=0.0000E+00,A10=5.8498E-09
A12=0.0000E+00,A14=0.0000E+00,A16=2.0160E-13,A18=0.0000E+00,A20=0.0000E+00
各種データ
ズーム比
広角         中間          望遠
焦点距離          5.04097     15.58821      48.54712       
Fno.              3.2977       5.1712        6.0000         
画角             39.7°       13.3°         4.4°    
像高              3.830        3.830         3.830
レンズ全長       41.2731      51.7877       57.8726
BF                0.31272      0.33156       0.24992   
d4                0.30000      9.30126      18.91884
d9               15.15013      8.09116       1.62894
d15               2.13292     11.82711      15.42319
d17               4.82418      3.68351       3.09856
ズームレンズ群データ
群      始面        焦点距離
1        1           35.09462    
2        5           -7.42267    
3       10           10.90779  
4       16           16.48718     
（硝材屈折率テーブル）・・・ 本実施例にて使用した媒質の波長別屈折率一覧
レンズＬ３には以下6種類の媒質のいずれを用いてもよい。
GLA                         587.56   656.27   486.13   435.84   404.66
L3           θgF=0.6684   1.633870 1.626381 1.653490 1.671610 1.688826
L3           θgF=0.6307   1.634076 1.626381 1.653490 1.670588 1.686380
L3           θgF=0.6255   1.634098 1.626381 1.653490 1.670447 1.685995
L3           θgF=0.6203   1.634112 1.626381 1.653490 1.670306 1.685607
L3           θgF=0.6103   1.634188 1.626381 1.653490 1.670035 1.684907
L3           θgF=0.5840   1.634361 1.626381 1.653490 1.669322 1.683094
レンズＬ３以外の媒質を以下に掲げる。
GLA                         587.56   656.27   486.13   435.84   404.66
L10                        1.530710 1.527870 1.537400 1.542740 1.547272
L5                         1.945945 1.931232 1.983832 2.018254 2.051063
L7                         1.592010 1.589310 1.598140 1.602875 1.606771
L2                         1.525400 1.522390 1.532540 1.538280 1.543120 
L11,L12                    1.516330 1.513855 1.521905 1.526213 1.529768
L8                         1.496999 1.495136 1.501231 1.504506 1.507205
L1                         1.729157 1.725101 1.738436 1.745696 1.751731 
L6                         1.743198 1.738653 1.753716 1.762046 1.769040
L9                         1.620041 1.615024 1.632123 1.642174 1.650998
L4                         1.851348 1.845052 1.866280 1.878368 1.888684
各面の非球面量
第２面
Y            ASP            SPH           ΔｚA(h)
7.156       -0.84847       -0.84847         0.00000
第３面
Y            ASP            SPH           ΔｚC(h)
7.156       -0.79010       -0.90586         0.11576
第４面
Y            ASP            SPH           ΔｚD(h)  
7.156       -0.10047       -0.14468         0.04421
【０１７５】
数値実施例４
単位  mm
面データ
面番号       r            d              nd         νd
物面         ∞           ∞   
1         32.4953       4.0000        1.72916       54.68   
2        -31.4546       0.1500        1.52540       51.81    
3*       -28.3832       0.1000        1.63387       23.38    
4*      -168.2376       可変        
5*       125.8195       0.8000        1.85135       40.10    
6*         6.5968       2.7747            
7        -82.5733       1.7176        1.94595       17.98   
8        -13.4813       0.7000        1.74320       49.34   
9*        58.9657       可変          
10(絞り)    ∞          0                   
11*        4.6143       2.4971        1.59201       67.02    
12*      -33.5712       0.1010   
13         7.9668       1.4475        1.49700       81.54    
14       -16.1300       0.2000        1.63419       23.39   
15       -20.6364       0.4200        1.62004       36.26    
16         3.4484       可変     
17*       22.6755       2.3694        1.53071       55.69   
18*      -13.1210       可変              
19          ∞          0.4000        1.51633       64.14   
20          ∞          0.5000           
21          ∞          0.5000        1.51633       64.14   
22          ∞          0.2682            
像面        ∞         
非球面データ
第３面
K=-0.0016
A2=0.0000E+00,A4=4.8016E-05,A6=6.5643E-08,A8=-1.6999E-09,A10=0.0000E+00
第４面
K=0.
A2=0.0000E+00,A4=1.6697E-05,A6=1.9105E-08,A8=-2.5483E-10,A10=3.2548E-13
A12=-1.1168E-14,A14=0.0000E+00,A16=0.0000E+00,A18=0.0000E+00,A20=0.0000E+00
第５面
K=0.
A2=0.0000E+00,A4=-1.3274E-04,A6=-1.9954E-07,A8=2.8731E-08,A10=-3.0004E-10
第６面
K=0.
A2=0.0000E+00,A4=7.5628E-05,A6=2.3148E-06,A8=1.8601E-07,A10=-1.3846E-08
第９面
K=0.
A2=0.0000E+00,A4=-3.7062E-04,A6=-7.3787E-06,A8=3.2905E-07,A10=-9.5936E-10
A12=-9.8133E-11,A14=0.0000E+00,A16=0.0000E+00,A18=0.0000E+00,A20=0.0000E+00
第１１面
K=0.
A2=0.0000E+00,A4=-3.9074E-04,A6=2.9145E-04,A8=-1.1143E-04,A10=2.0918E-05
A12=-1.3487E-06,A14=0.0000E+00,A16=0.0000E+00,A18=0.0000E+00,A20=0.0000E+00
第１２面
K=0.
A2=0.0000E+00,A4=1.3415E-03,A6=5.5785E-04,A8=-2.5443E-04,A10=6.0102E-05
A12=-4.8454E-06,A14=0.0000E+00,A16=0.0000E+00,A18=0.0000E+00,A20=0.0000E+00
第１７面
K=0.
A2=0.0000E+00,A4=-4.8233E-05,A6=1.2011E-06,A8=0.0000E+00,A10=0.0000E+00
A12=1.7920E-11,A14=0.0000E+00,A16=0.0000E+00,A18=0.0000E+00,A20=0.0000E+00
第１８面
K=0.
A2=0.0000E+00,A4=0.0000E+00,A6=0.0000E+00,A8=0.0000E+00,A10=7.3081E-10
A12=0.0000E+00,A14=0.0000E+00,A16=2.0550E-14,A18=0.0000E+00,A20=0.0000E+00
各種データ
ズーム比
広角         中間          望遠
焦点距離          5.03419     15.58899      48.55042       
Fno.              3.2977       5.1712        6.0000          
画角             39.6°       13.3°         4.4°    
像高              3.830        3.830         3.830
レンズ全長       41.2904      51.8537       57.8770
BF                0.26822      0.27707       0.16274   
d4                0.30000      9.29602      18.91361
d9               15.14557      8.09879       1.64084
d16               2.11642     11.81963      15.40884
d18               4.78275      3.68484       3.07360
ズームレンズ群データ
群      始面        焦点距離
1        1           35.05855   
2        5           -7.44906      
3       10           10.91239   
4       17           16.02908   
（硝材屈折率テーブル）・・・ 本実施例にて使用した媒質の波長別屈折率一覧
レンズＬ３には以下6種類の媒質のいずれを用いてもよい。
GLA                         587.56   656.27   486.13   435.84   404.66
L3           θgF=0.6684   1.633870 1.626381 1.653490 1.671610 1.688826
L3           θgF=0.6307   1.634076 1.626381 1.653490 1.670588 1.686380
L3           θgF=0.6255   1.634098 1.626381 1.653490 1.670447 1.685995
L3           θgF=0.6203   1.634112 1.626381 1.653490 1.670306 1.685607
L3           θgF=0.6103   1.634188 1.626381 1.653490 1.670035 1.684907
L3           θgF=0.5840   1.634361 1.626381 1.653490 1.669322 1.683094
レンズＬ３以外の媒質を以下に掲げる。
GLA                         587.56   656.27   486.13   435.84   404.66
L9                         1.634188 1.626381 1.653490 1.670035 1.684907
L11                        1.530710 1.527870 1.537400 1.542740 1.547272
L5                         1.945945 1.931232 1.983832 2.018254 2.051063
L7                         1.592010 1.589310 1.598140 1.602875 1.606771
L2                         1.525400 1.522390 1.532540 1.538280 1.543120 
L12,L13                    1.516330 1.513855 1.521905 1.526213 1.529768
L8                         1.496999 1.495136 1.501231 1.504506 1.507205
L1                         1.729157 1.725101 1.738436 1.745696 1.751731 
L6                         1.743198 1.738653 1.753716 1.762046 1.769040
L10                        1.620041 1.615024 1.632123 1.642174 1.650998
L4                         1.851348 1.845052 1.866280 1.878368 1.888684
各面の非球面量
第２面
Y            ASP            SPH           ΔｚA(h)
7.170       -0.82809       -0.82809         0.00000
第３面
Y            ASP            SPH           ΔｚC(h)
7.170       -0.79658       -0.92055         0.12397
第４面
Y            ASP            SPH           ΔｚD(h)
7.170       -0.10800       -0.15286         0.04486
【０１７６】
数値実施例５
単位  mm
面データ
面番号       r            d              nd         νd
物面         ∞           ∞   
1         32.1823       4.0000        1.72916       54.68    
2        -30.0672       0.2000        1.52540       51.81   
3*       -27.1910       0.1000        1.63387       23.38    
4*      -189.2244       可変        
5*       106.0775       0.8000        1.85135       40.10   
6*         6.6325       2.7747    
7        -85.5588       1.7176        1.94595       17.98   
8        -12.7080       0.5000        1.63419       23.39    
9*       -12.3880       0.7000        1.74320       49.34   
10*       52.0855       可変  
11(絞り)    ∞          0       
12*        4.4523       2.4809        1.59201       67.02    
13*      -32.3767       0.1010     
14         7.9790       1.4730        1.49700       81.54    
15        -9.9862       0.4200        1.62004       36.26    
16         3.4130       可変     
17*       22.1548       2.3260        1.53071       55.69    
18*      -13.4393       可変   
19          ∞          0.4000        1.51633       64.14   
20          ∞          0.5000     
21          ∞          0.5000        1.51633       64.14   
22          ∞          0.2099   
像面        ∞          
非球面データ
第３面
K=-0.0019
A2=0.0000E+00,A4=6.6587E-05,A6=-1.4631E-07,A8=-7.0727E-10,A10=0.0000E+00
第４面
K=0.
A2=0.0000E+00,A4=1.9735E-05,A6=7.2638E-09,A8=-6.1037E-10,A10=5.8071E-12
A12=-3.1435E-14,A14=0.0000E+00,A16=0.0000E+00,A18=0.0000E+00,A20=0.0000E+00
第５面
K=0.
A2=0.0000E+00,A4=-1.3722E-04,A6=-6.9646E-07,A8=2.6011E-08,A10=-1.7846E-10
第６面
K=0.
A2=0.0000E+00,A4=3.4420E-05,A6=5.1962E-07,A8=1.0150E-07,A10=-1.7486E-08
第９面
K=0.
A2=0.0000E+00,A4=3.8937E-05,A6=4.5643E-06,A8=-6.1898E-07,A10=0.0000E+00
第１０面
K=0.
A2=0.0000E+00,A4=-3.3805E-04,A6=-6.0043E-06,A8=3.7220E-07,A10=-8.3222E-09
A12=1.7372E-10,A14=0.0000E+00,A16=0.0000E+00,A18=0.0000E+00,A20=0.0000E+00
第１２面
K=0.
A2=0.0000E+00,A4=-4.0524E-04,A6=2.8173E-04,A8=-1.0638E-04,A10=2.0319E-05
A12=-1.3076E-06,A14=0.0000E+00,A16=0.0000E+00,A18=0.0000E+00,A20=0.0000E+00
第１３面
K=0.
A2=0.0000E+00,A4=1.4922E-03,A6=5.4981E-04,A8=-2.4848E-04,A10=6.0864E-05
A12=-4.9867E-06,A14=0.0000E+00,A16=0.0000E+00,A18=0.0000E+00,A20=0.0000E+00
第１７面
K=0.
A2=0.0000E+00,A4=-5.4259E-05,A6=1.4335E-06,A8=0.0000E+00,A10=0.0000E+00
A12=1.5648E-10,A14=0.0000E+00,A16=0.0000E+00,A18=0.0000E+00,A20=0.0000E+00
第１８面
K=0.
A2=0.0000E+00,A4=0.0000E+00,A6=0.0000E+00,A8=0.0000E+00,A10=3.1630E-09
A12=0.0000E+00,A14=0.0000E+00,A16=1.2162E-13,A18=0.0000E+00,A20=0.0000E+00
各種データ
ズーム比
広角         中間          望遠
焦点距離          5.03145     15.58693      48.55455      
Fno.              3.2977       5.1712        6.0000         
画角             39.5°       13.2°         4.4°    
像高              3.830        3.830         3.830
レンズ全長       41.6740      52.1301       57.8896
BF                0.20986      0.24795       0.03852   
d4                0.30000      9.31116      18.89949
d10              15.15265      8.06604       1.60189
d16               2.14592     11.83200      15.37393
d18               4.87239      3.67980       2.98258
ズームレンズ群データ
群      始面        焦点距離
1        1           35.12468    
2        5           -7.47350   
3       11           10.95318   
4       17           16.12732  
（硝材屈折率テーブル）・・・ 本実施例にて使用した媒質の波長別屈折率一覧
レンズＬ３には以下6種類の媒質のいずれを用いてもよい。
GLA                         587.56   656.27   486.13   435.84   404.66
L3           θgF=0.6684   1.633870 1.626381 1.653490 1.671610 1.688826
L3           θgF=0.6307   1.634076 1.626381 1.653490 1.670588 1.686380
L3           θgF=0.6255   1.634098 1.626381 1.653490 1.670447 1.685995
L3           θgF=0.6203   1.634112 1.626381 1.653490 1.670306 1.685607
L3           θgF=0.6103   1.634188 1.626381 1.653490 1.670035 1.684907
L3           θgF=0.5840   1.634361 1.626381 1.653490 1.669322 1.683094
レンズＬ３以外の媒質を以下に掲げる。
GLA                         587.56   656.27   486.13   435.84   404.66
L6                         1.634188 1.626381 1.653490 1.670035 1.684907
L11                        1.530710 1.527870 1.537400 1.542740 1.547272
L5                         1.945945 1.931232 1.983832 2.018254 2.051063
L8                         1.592010 1.589310 1.598140 1.602875 1.606771
L2                         1.525400 1.522390 1.532540 1.538280 1.543120
L12,L13                    1.516330 1.513855 1.521905 1.526213 1.529768
L9                         1.496999 1.495136 1.501231 1.504506 1.507205
L1                         1.729157 1.725101 1.738436 1.745696 1.751731
L7                         1.743198 1.738653 1.753716 1.762046 1.769040
L10                        1.620041 1.615024 1.632123 1.642174 1.650998
L4                         1.851348 1.845052 1.866280 1.878368 1.888684
各面の非球面量
第２面
Y            ASP            SPH           ΔｚA(h)
7.176       -0.86889       -0.86889        -0.00000
第３面
Y            ASP            SPH           ΔｚC(h)
7.176       -0.81235       -0.96400         0.15165
第４面
Y            ASP            SPH           ΔｚD(h)
7.176       -0.08557       -0.13612         0.05055
【０１７７】
数値実施例６
単位  mm
面データ
面番号       r            d              nd         νd
物面         ∞           ∞   
1         31.9706       4.0000        1.72916       54.68   
2        -30.3870       0.2000        1.52540       51.81    
3*       -27.9298       0.1000        1.63387       23.38    
4*      -202.4159       可変    
5*       109.3838       0.8000        1.85135       40.10   
6*         6.6170       2.7747      
7        -83.1273       1.7176        1.94595       17.98   
8        -12.8051       0.5000        1.63419       23.39 
9*       -13.2960       0.7000        1.74320       49.34  
10*       55.9230       可変   
11(絞り)    ∞          0         
12*        4.5726       2.4175        1.59201       67.02    
13*      -34.9432       0.1010      
14         8.0854       1.4746        1.49700       81.54    
15       -15.6925       0.2000        1.63419       23.39   
16       -21.1249       0.4200        1.62004       36.26   
17         3.4226       可変   
18*       21.8659       2.3087        1.53071       55.69   
19*      -12.8969       可変     
20          ∞          0.4000        1.51633       64.14   
21          ∞          0.5000      
22          ∞          0.5000        1.51633       64.14    
23          ∞          0.1875    
像面        ∞          
非球面データ
第３面
K=-0.0013
A2=0.0000E+00,A4=7.3160E-05,A6=-3.1268E-07,A8=4.3765E-10,A10=0.0000E+00
第４面
K=0.
A2=0.0000E+00,A4=2.0900E-05,A6=-1.7863E-08,A8=-5.6099E-10,A10=7.6797E-12
A12=-3.7611E-14,A14=0.0000E+00,A16=0.0000E+00,A18=0.0000E+00,A20=0.0000E+00
第５面
K=0.
A2=0.0000E+00,A4=-1.3615E-04,A6=-6.3938E-07,A8=3.2295E-08,A10=-2.3838E-10
第６面
K=0.
A2=0.0000E+00,A4=3.1420E-05,A6=-1.2555E-06,A8=2.1634E-07,A10=-1.6669E-08
第９面
K=0.
A2=0.0000E+00,A4=1.6099E-04,A6=6.6511E-07,A8=-8.3282E-07,A10=0.0000E+00
第１０面
K=0.
A2=0.0000E+00,A4=-3.1397E-04,A6=-5.8089E-06,A8=9.2290E-08,A10=4.2491E-09
A12=-8.0611E-11,A14=0.0000E+00,A16=0.0000E+00,A18=0.0000E+00,A20=0.0000E+00
第１２面
K=0.
A2=0.0000E+00,A4=-3.5442E-04,A6=2.3445E-04,A8=-8.4573E-05,A10=1.6226E-05
A12=-1.0479E-06,A14=0.0000E+00,A16=0.0000E+00,A18=0.0000E+00A20=0.0000E+00
第１３面
K=0.
A2=0.0000E+00,A4=1.4020E-03,A6=4.4211E-04,A8=-1.8311E-04,A10=4.3797E-05
A12=-3.5031E-06,A14=0.0000E+00,A16=0.0000E+00,A18=0.0000E+00,A20=0.0000E+00
第１８面
K=0.
A2=0.0000E+00,A4=-7.7606E-05,A6=1.4857E-06,A8=0.0000E+00,A10=0.0000E+00
A12=2.8270E-10,A14=0.0000E+00,A16=0.0000E+00,A18=0.0000E+00,A20=0.0000E+00
第１９面
K=0.
A2=0.0000E+00,A4=0.0000E+00,A6=0.0000E+00,A8=0.0000E+00,A10=5.4079E-09
A12=0.0000E+00,A14=0.0000E+00,A16=2.1592E-13,A18=0.0000E+00,A20=0.0000E+00
各種データ
ズーム比
広角         中間          望遠
焦点距離          5.03259     15.58675      48.55784      
Fno.              3.2977       5.1712        6.0000          
画角             39.2°       13.2°         4.4°    
像高              3.830        3.830         3.830
レンズ全長       41.7224      52.2325       57.8909
BF                0.18751      0.22739      -3.19280E-04 
d4                0.30000      9.31988      18.90484
d10              15.14897      8.05782       1.55825
d17               2.13488     11.83358      15.38651
d19               4.83700      3.67982       2.92755
ズームレンズ群データ
群      始面        焦点距離
1        1           35.15643  
2        5           -7.53561   
3       11           11.00402   
4       18           15.64579     
（硝材屈折率テーブル）・・・ 本実施例にて使用した媒質の波長別屈折率一覧
レンズＬ３には以下6種類の媒質のいずれを用いてもよい。
GLA                         587.56   656.27   486.13   435.84   404.66
L3           θgF=0.6684   1.633870 1.626381 1.653490 1.671610 1.688826
L3           θgF=0.6307   1.634076 1.626381 1.653490 1.670588 1.686380
L3           θgF=0.6255   1.634098 1.626381 1.653490 1.670447 1.685995
L3           θgF=0.6203   1.634112 1.626381 1.653490 1.670306 1.685607
L3           θgF=0.6103   1.634188 1.626381 1.653490 1.670035 1.684907
L3           θgF=0.5840   1.634361 1.626381 1.653490 1.669322 1.683094
レンズＬ３以外の媒質を以下に掲げる。
GLA                         587.56   656.27   486.13   435.84   404.66
L6,L10                     1.634188 1.626381 1.653490 1.670035 1.684907
L12                        1.530710 1.527870 1.537400 1.542740 1.547272
L5                         1.945945 1.931232 1.983832 2.018254 2.051063
L8                         1.592010 1.589310 1.598140 1.602875 1.606771
L2                         1.525400 1.522390 1.532540 1.538280 1.543120 
L13,L14                    1.516330 1.513855 1.521905 1.526213 1.529768
L9                         1.496999 1.495136 1.501231 1.504506 1.507205
L1                         1.729157 1.725101 1.738436 1.745696 1.751731 
L7                         1.743198 1.738653 1.753716 1.762046 1.769040
L11                        1.620041 1.615024 1.632123 1.642174 1.650998
L4                         1.851348 1.845052 1.866280 1.878368 1.888684
各面の非球面量
第２面
Y            ASP            SPH           ΔｚA(h)
7.174       -0.85899       -0.85899        -0.00000
第３面
Y            ASP            SPH           ΔｚC(h)
7.174       -0.78282       -0.93707         0.15425
第４面
Y            ASP            SPH           ΔｚD(h)
7.174       -0.07611       -0.12717         0.05106
【０１７８】
次に、各実施例における条件式の値を表１に掲げる。
なお、ここでは、レンズＬ3にＵＶ材料１を用いたときの値を算出した。実際には下記のＵＶ材料１乃至６のいずれを用いて良い。
（表１）
実施例１      実施例２      実施例３   
ｆw  （広角端）            4.971         4.971         5.041  
ｆs  （ 中間 ）           13.207        13.204        15.588  
ｆt  （望遠端）           35.045        35.019        48.547  
半画角（広角端）          39.1°        39.1°        39.7°  
半画角（ 中間 ）          16.1°        16.2°        13.3°  
半画角（望遠端）           6.2°         6.2°         4.4°  
γ                         7.050         7.045         9.630   
ｙ10                       3.84          3.84          3.83  
Φ1                        0.0387        0.0378        0.0450   
Φ2                        0.0011        0.0012        0.0012   
Φ3                       -0.0163       -0.0156       -0.0185  
Φ3／Φ1                  -0.421        -0.403        -0.411  
νd1                      55.53         55.53         54.68  
ｎd1                       1.69680       1.69680       1.72916 
θgF1                      0.5434        0.5434        0.5442  
θhg1                      0.4510        0.4510        0.4520  
νd2                      51.81         51.81         51.81  
ｎd2                       1.52540       1.52540       1.52540      
νd3                      23.38         23.38         23.38   
ｎd3                       1.63387       1.63387       1.63387   
ｂ3                        2.25812       2.25812       2.25812  
θgF3                      0.6784        0.6784        0.6784   
βgF3                      0.8107        0.8107        0.8107   
θhg3                      0.6351        0.6351        0.6351   
βhg3                      0.8301        0.8301        0.8301  
ｎd2−ｎd3                -0.10847      -0.10847      -0.10847   
(νd3)-1−(νd1)-1         0.02476       0.02476       0.02448  
(νd3)-1−(νd2)-1         0.02347       0.02347       0.02347   
θgF3−θgF1               0.1350        0.1350        0.1342  
θhg3−θhg1               0.1841        0.1841        0.1831  
ＲC                      -44.3924      -41.8075      -28.7172   
ΔｚA(h)                   0             0             0  
ΔｚD(h)                   0.01268       0.01197       0.04421   
(ΔｚA(h)＋ΔｚD(h)）／2   0.00634       0.00599       0.02211   
ΔｚC （h）                0.02346       0.02345       0.11576   
ｈ                         6.289         6.288         7.156  
a                          2.516         2.515         2.862  
実施例４      実施例５      実施例６
ｆw  （広角端）            5.034         5.031         5.033
ｆs  （ 中間 ）           15.589        15.587        15.587
ｆt  （望遠端）           48.550        48.555        48.558
半画角（広角端）          39.6°        39.5°        39.2°
半画角（ 中間 ）          13.3°        13.2°        13.2°
半画角（望遠端）           4.4°         4.4°         4.4°
γ                         9.644         9.651         9.648
ｙ10                       3.83          3.83          3.83
Φ1                        0.0444        0.0456        0.0455
Φ2                        0.0018        0.0019        0.0016
Φ3                       -0.0186       -0.0200       -0.0196
Φ3／Φ1                  -0.419        -0.439        -0.431
νd1                      54.68         54.68         54.68
ｎd1                       1.72916       1.72916       1.72916
θgF1                      0.5442        0.5442        0.5442
θhg1                      0.4520        0.4520        0.4520
νd2                      51.81         51.81         51.81
ｎd2                       1.52540       1.52540       1.52540
νd3                      23.38         23.38         23.38
ｎd3                       1.63387       1.63387       1.63387
ｂ3                        2.25812       2.25812       2.25812
θgF3                      0.6784        0.6784        0.6784
βgF3                      0.8107        0.8107        0.8107
θhg3                      0.6351        0.6351        0.6351
βhg3                      0.8301        0.8301        0.8301
ｎd2−ｎd3                -0.10847      -0.10847      -0.10847
(νd3)-1−(νd1)-1         0.02448       0.02448       0.02448
(νd3)-1−(νd2)-1         0.02347       0.02347       0.02347
θgF3−θgF1               0.1342        0.1342        0.1342
θhg3−θhg1               0.1831        0.1831        0.1831
ＲC                      -28.3832      -27.1910      -27.9298
ΔｚA(h)                   0             0             0
ΔｚD(h)                   0.04486       0.05055       0.05106
(ΔｚA(h)＋ΔｚD(h)）／2   0.02243       0.02528       0.02553
ΔｚC （h）                0.12397       0.15165       0.15425
ｈ                         7.170         7.176         7.174
a                          2.868         2.870         2.870
【０１７９】
以下にレンズＬ3に使用できるＵＶ材料を表２に掲げる。
なお、実施例中に含まれる３枚接合レンズ成分の中央のレンズに下記いずれの材料を用いてもかまわない。
（表２）
UV材料１    UV材料２    UV材料３    UV材料４    UV材料５    UV材料６
θgF3       0.6784      0.6307      0.6255      0.6203      0.6103      0.5840
βgF3       0.8107      0.7631      0.7579      0.7527      0.7427      0.7164
θhg3       0.6351      0.5825      0.5735      0.5644      0.5486      0.5080
βhg3       0.8301      0.7776      0.7686      0.7595      0.7437      0.7032
νd3       23.38       23.39       23.39       23.39       23.39       23.40
ｎd3        1.63387     1.63408     1.63410     1.63411     1.63419     1.63436
ｂ3         2.25812     2.25859     2.25861     2.25862     2.25870     2.25914
【０１８０】
レンズＬ3の材料を表２のように変えたときの各実施例のθgF3−θgF1を表３に掲げる。
（表３）
θgF3−θgF1          実施例１       実施例２       実施例３     
UV材料１               0.1350         0.1350         0.1342   
UV材料２               0.0873         0.0873         0.0865   
UV材料３               0.0821         0.0821         0.0813   
UV材料４               0.0769         0.0769         0.0761  
UV材料５               0.0669         0.0669         0.0661   
UV材料６               0.0406         0.0406         0.0398   
【０１８１】
レンズＬ3の材料を表２のように変えたときの各実施例のθgF3−θgF1を表４に掲げる。
（表４）
θgF3−θgF1          実施例４       実施例５       実施例６
UV材料１               0.1342         0.1342         0.1342
UV材料２               0.0865         0.0865         0.0865
UV材料３               0.0813         0.0813         0.0813
UV材料４               0.0761         0.0761         0.0761
UV材料５               0.0661         0.0661         0.0661
UV材料６               0.0398         0.0398         0.0398
【０１８２】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１８３】
図４９〜図５１に本発明による結像光学系をデジタルカメラの撮影光学系４１に組み込んだ構成の概念図を示す。図４９はデジタルカメラ４０の外観を示す前方斜視図、図５０は同後方斜視図、図５１はデジタルカメラ４０の光学構成を示す断面図である。
【０１８４】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０１８５】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１８６】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Eに導く接眼光学系５９が配置されている。
【０１８７】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０１８８】
次に、本発明の結像光学系が対物光学系として内蔵された情報処理装置の一例であるパソコンを図５２〜図５４に示す。図５２はパソコン３００のカバーを開いた状態の前方斜視図、図５３はパソコン３００の撮影光学系３０３の断面図、図５４は図５２の側面図である。図５２〜図５４に示されるように、パソコン３００は、キーボード３０１と、情報処理手段や記録手段と、モニター３０２と、撮影光学系３０３とを有している。
【０１８９】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１９０】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０１９１】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される、図５２には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１９２】
次に、本発明の結像光学系が撮影光学系として内蔵された情報処理装置の一例である電話、特に持ち運びに便利な携帯電話を図５５に示す。図５５（a）は携帯電話４００の正面図、図５５（b）は側面図、図５５（c）は撮影光学系４０５の断面図である。図５５（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１９３】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１９４】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０１９５】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１９６】
なお、本発明は、その趣旨を逸脱しない範囲で様々な変形例をとることができる。
【図面の簡単な説明】
【０１９７】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】実施例１にかかるズームレンズの無限遠物点合焦時における、θｇＦ＝０．６６８４のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図４】実施例１にかかるズームレンズの無限遠物点合焦時における、θｇＦ＝０．６３０７のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図５】実施例１にかかるズームレンズの無限遠物点合焦時における、θｇＦ＝０．６２５５のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図６】実施例１にかかるズームレンズの無限遠物点合焦時における、θｇＦ＝０．６２０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図７】実施例１にかかるズームレンズの無限遠物点合焦時における、θｇＦ＝０．６１０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図８】実施例１にかかるズームレンズの無限遠物点合焦時における、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図９】本発明の実施例２にかかるズームレンズの（ａ）は広角端、（ｂ）は中間、（ｃ）は望遠端における無限遠物点合焦時の光学構成を示す光軸に沿う断面図である。
【図１０】実施例１にかかるズームレンズの無限遠物点合焦時における球面収差、非点収差、歪曲収差、倍率色収差を示す図であり、（a）は広角端、（b）は中間、（c）は望遠端での状態を示している。
【図１１】実施例２にかかるズームレンズの無限遠物点合焦時における、θｇＦ＝０．６６８４のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図１２】実施例２にかかるズームレンズの無限遠物点合焦時における、θｇＦ＝０．６３０７のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図１３】実施例２にかかるズームレンズの無限遠物点合焦時における、θｇＦ＝０．６２５５のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図１４】実施例２にかかるズームレンズの無限遠物点合焦時における、θｇＦ＝０．６２０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図１５】実施例２にかかるズームレンズの無限遠物点合焦時における、θｇＦ＝０．６１０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図１６】実施例２にかかるズームレンズの無限遠物点合焦時における、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図１７】本発明の実施例３にかかるズームレンズの（ａ）は広角端、（ｂ）は中間、（ｃ）は望遠端における無限遠物点合焦時の光学構成を示す光軸に沿う断面図である。
【図１８】実施例３にかかるズームレンズの無限遠物点合焦時における球面収差、非点収差、歪曲収差、倍率色収差を示す図であり、（a）は広角端、（b）は中間、（c）は望遠端での状態を示している。
【図１９】実施例３にかかるズームレンズの無限遠物点合焦時における、θｇＦ＝０．６６８４のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図２０】実施例３にかかるズームレンズの無限遠物点合焦時における、θｇＦ＝０．６３０７のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図２１】実施例３にかかるズームレンズの無限遠物点合焦時における、θｇＦ＝０．６２５５のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図２２】実施例３にかかるズームレンズの無限遠物点合焦時における、θｇＦ＝０．６２０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図２３】実施例３にかかるズームレンズの無限遠物点合焦時における、θｇＦ＝０．６１０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図２４】実施例３にかかるズームレンズの無限遠物点合焦時における、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図２５】本発明の実施例４にかかるズームレンズの（ａ）は広角端、（ｂ）は中間、（ｃ）は望遠端における無限遠物点合焦時の光学構成を示す光軸に沿う断面図である。
【図２６】実施例４にかかるズームレンズの無限遠物点合焦時における球面収差、非点収差、歪曲収差、倍率色収差を示す図であり、（a）は広角端、（b）は中間、（c）は望遠端での状態を示している。
【図２７】実施例４にかかるズームレンズの無限遠物点合焦時における、θｇＦ＝０．６６８４のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図２８】実施例４にかかるズームレンズの無限遠物点合焦時における、θｇＦ＝０．６３０７のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図２９】実施例４にかかるズームレンズの無限遠物点合焦時における、θｇＦ＝０．６２５５のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図３０】実施例４にかかるズームレンズの無限遠物点合焦時における、θｇＦ＝０．６２０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図３１】実施例４にかかるズームレンズの無限遠物点合焦時における、θｇＦ＝０．６１０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図３２】実施例４にかかるズームレンズの無限遠物点合焦時における、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図３３】本発明の実施例５にかかるズームレンズの（ａ）は広角端、（ｂ）は中間、（ｃ）は望遠端における無限遠物点合焦時の光学構成を示す光軸に沿う断面図である。
【図３４】実施例５にかかるズームレンズの無限遠物点合焦時における球面収差、非点収差、歪曲収差、倍率色収差を示す図であり、（a）は広角端、（b）は中間、（c）は望遠端での状態を示している。
【図３５】実施例５にかかるズームレンズの無限遠物点合焦時における、θｇＦ＝０．６６８４のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図３６】実施例５にかかるズームレンズの無限遠物点合焦時における、θｇＦ＝０．６３０７のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図３７】実施例５にかかるズームレンズの無限遠物点合焦時における、θｇＦ＝０．６２５５のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図３８】実施例５にかかるズームレンズの無限遠物点合焦時における、θｇＦ＝０．６２０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図３９】実施例５にかかるズームレンズの無限遠物点合焦時における、θｇＦ＝０．６１０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図４０】実施例５にかかるズームレンズの無限遠物点合焦時における、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図４１】本発明の実施例６にかかるズームレンズの（ａ）は広角端、（ｂ）は中間、（ｃ）は望遠端における無限遠物点合焦時の光学構成を示す光軸に沿う断面図である。
【図４２】実施例６にかかるズームレンズの無限遠物点合焦時における球面収差、非点収差、歪曲収差、倍率色収差を示す図であり、（a）は広角端、（b）は中間、（c）は望遠端での状態を示している。
【図４３】実施例６にかかるズームレンズの無限遠物点合焦時における、θｇＦ＝０．６６８４のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図４４】実施例６にかかるズームレンズの無限遠物点合焦時における、θｇＦ＝０．６３０７のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図４５】実施例６にかかるズームレンズの無限遠物点合焦時における、θｇＦ＝０．６２５５のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図４６】実施例６にかかるズームレンズの無限遠物点合焦時における、θｇＦ＝０．６２０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図４７】実施例６にかかるズームレンズの無限遠物点合焦時における、θｇＦ＝０．６１０３のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図４８】実施例６にかかるズームレンズの無限遠物点合焦時における、θｇＦ＝０．５８４０のときの球面収差（ＳＡ）、倍率色収差（ＣＣ）、色コマ収差（ＤＹＹ）（像高比０．７、１．０）を示す図であり、（ａ）は広角端、（ｂ）は中間焦点距離状態、（ｃ）は望遠端での状態を示している。
【図４９】本発明によるズーム光学系を組み込んだデジタルカメラ４０の外観を示す前方斜視図である。
【図５０】デジタルカメラ４０の後方斜視図である。
【図５１】デジタルカメラ４０の光学構成を示す断面図である。
【図５２】本発明のズーム光学系が対物光学系として内蔵された情報処理装置の一例であるパソコン３００のカバーを開いた状態の前方斜視図である。
【図５３】パソコン３００の撮影光学系３０３の断面図である。
【図５４】パソコン３００の側面図である。
【図５５】本発明のズーム光学系が撮影光学系として内蔵された情報処理装置の一例である携帯電話を示す図であり、（a）は携帯電話４００の正面図、（b）は側面図、（c）は撮影光学系４０５の断面図である。
【符号の説明】
【０１９８】
Ｇ１          第１レンズ群
Ｇ２          第２レンズ群
Ｇ３          第３レンズ群
Ｇ４          第４レンズ群
Ｌ１〜Ｌ１２        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2010091881.tif 000003
【図２】
2010091881.tif 000004
【図３】
2010091881.tif 000005
【図４】
2010091881.tif 000006
【図５】
2010091881.tif 000007
【図６】
2010091881.tif 000008
【図７】
2010091881.tif 000009
【図８】
2010091881.tif 000010
【図９】
2010091881.tif 000011
【図１０】
2010091881.tif 000012
【図１１】
2010091881.tif 000013
【図１２】
2010091881.tif 000014
【図１３】
2010091881.tif 000015
【図１４】
2010091881.tif 000016
【図１５】
2010091881.tif 000017
【図１６】
2010091881.tif 000018
【図１７】
2010091881.tif 000019
【図１８】
2010091881.tif 000020
【図１９】
2010091881.tif 000021
【図２０】
2010091881.tif 000022
【図２１】
2010091881.tif 000023
【図２２】
2010091881.tif 000024
【図２３】
2010091881.tif 000025
【図２４】
2010091881.tif 000026
【図２５】
2010091881.tif 000027
【図２６】
2010091881.tif 000028
【図２７】
2010091881.tif 000029
【図２８】
2010091881.tif 000030
【図２９】
2010091881.tif 000031
【図３０】
2010091881.tif 000032
【図３１】
2010091881.tif 000033
【図３２】
2010091881.tif 000034
【図３３】
2010091881.tif 000035
【図３４】
2010091881.tif 000036
【図３５】
2010091881.tif 000037
【図３６】
2010091881.tif 000038
【図３７】
2010091881.tif 000039
【図３８】
2010091881.tif 000040
【図３９】
2010091881.tif 000041
【図４０】
2010091881.tif 000042
【図４１】
2010091881.tif 000043
【図４２】
2010091881.tif 000044
【図４３】
2010091881.tif 000045
【図４４】
2010091881.tif 000046
【図４５】
2010091881.tif 000047
【図４６】
2010091881.tif 000048
【図４７】
2010091881.tif 000049
【図４８】
2010091881.tif 000050
【図４９】
2010091881.tif 000051
【図５０】
2010091881.tif 000052
【図５１】
2010091881.tif 000053
【図５２】
2010091881.tif 000054
【図５３】
2010091881.tif 000055
【図５４】
2010091881.tif 000056
【図５５】
2010091881.tif 000057